(57)【特許請求の範囲】
【請求項１】
端末に応用する方法であって、
前記端末が、ユーザーから入力した、証明資料が所在する合法的出所の識別子によって、前記証明資料を提供するためのターゲットアプリケーションを確定するステップと、
前記端末が、前記証明資料を含む前記ターゲットアプリケーションにより端末上に表示されるページ情報を獲得するステップと、
前記端末が、資料抽出サーバーが資料情報から前記証明資料を抽出するように、前記ページ情報又は前記証明資料を含む資料情報を前記資料抽出サーバーに送信するステップと、
を含み、
前記ページ情報を獲得するステップは
前記端末が、前記ターゲットアプリケーションにログインするステップと、
前記端末が、前記ターゲットアプリケーションが表示する少なくとも一つのページをキャプチャして、少なくとも一つのページキャプチャを含む前記ページ情報を獲得するステップと、
を含み、
前記ターゲットアプリケーションが表示する少なくとも一つのページをキャプチャして、前記ページ情報を獲得するステップは、
前記端末が、前記ターゲットアプリケーションが表示するログインページからキャプチャを開始するステップと、
前記端末が、予め設定された時間内に、前記ターゲットアプリケーションが表示するページに変化がない場合に、又は、前記ターゲットアプリケーションが再びログインページを表示する場合に、キャプチャを中止するステップと、
前記端末が、キャプチャを開始してからキャプチャを中止するまでに獲得した少なくとも一つのページキャプチャを、前記ページ情報とするステップと、
を含むことを特徴とする証明資料を獲得する方法。
【請求項２】
端末に応用する方法であって、
前記端末が、ユーザーから入力した、証明資料が所在する合法的出所の識別子によって、前記証明資料を提供するためのターゲットアプリケーションを確定するステップと、
前記端末が、前記証明資料を含む前記ターゲットアプリケーションにより端末上に表示されるページ情報を獲得するステップと、
前記端末が、資料抽出サーバーが資料情報から前記証明資料を抽出するように、前記ページ情報又は前記証明資料を含む資料情報を前記資料抽出サーバーに送信するステップと、
を含み、
前記ページ情報を獲得するステップは
前記端末が、前記ターゲットアプリケーションにログインするステップと、
前記端末が、前記ターゲットアプリケーションが表示する少なくとも一つのページをキャプチャして、少なくとも一つのページキャプチャを含む前記ページ情報を獲得するステップと、
を含み、
前記ターゲットアプリケーションが表示する少なくとも一つのページをキャプチャして、前記ページ情報を獲得するステップは、
前記端末が、キャプチャボタンをトリガーして生成されたキャプチャ命令を受信するステップと、
前記端末が、受信したキャプチャ命令に基づき、前記ターゲットアプリケーションの現在のページをキャプチャし、獲得した少なくとも一つのページキャプチャを前記ページ情報とするステップと、
を含むことを特徴とする証明資料を獲得する方法。
【請求項３】
前記端末が、前記少なくとも一つのページキャプチャにおけるそれぞれのページキャプチャに対し、予め設定された証明キャラクタが含まれているか否かを順次に検出するステップと、
前記端末が、前記少なくとも一つのページキャプチャにおける前記予め設定された証明キャラクタが含まれているページキャプチャを、前記証明資料として確定するステップと、
をさらに含むことを特徴とする請求項１又は２に記載の証明資料を獲得する方法。
【請求項４】
前記少なくとも一つのページキャプチャにおけるそれぞれのページキャプチャに対し、予め設定された証明キャラクタが含まれているか否かを順次に検出するステップは、
前記端末が、光学文字認識技術（ＯＣＲ）を採用して、前記少なくとも一つのページキャプチャにおけるそれぞれのページキャプチャに対し、予め設定された証明キャラクタが含まれているか否かを順次に検出するステップ、
を含むことを特徴とする請求項３に記載の証明資料を獲得する方法。
【請求項５】
前記キャプチャボタンは、フローティングアクションボタン、ホームボタン、予め設定されたハードウェアボタン中のいずれか一つであることを特徴とする請求項２に記載の証明資料を獲得する方法。
【請求項６】
前記キャプチャの操作を行う過程において、前記端末が、前記ターゲットアプリケーションの単一性識別子を獲得するステップ、及び、
前記端末が、予め設定された信頼できる識別子表を検索し、前記信頼できる識別子表は、信頼できるアプリケーションの単一性識別子を記録するために用いられるステップをさらに含み、
前記資料情報を資料抽出サーバーに送信するステップは、
前記端末が、前記信頼できる識別子表に、前記ターゲットアプリケーションの単一性識別子が記録されている場合、資料情報を前記資料抽出サーバーに送信することを実行するステップを含むことを特徴とする請求項１又は２に記載の証明資料を獲得する方法。
【請求項７】
前記端末が、前記ページ情報を指定された位置に隔離して記憶するステップ、及び／又は、
前記端末が、前記ページ情報を暗号化して記憶するステップ、
をさらに含むことを特徴とする請求項１又は２に記載の証明資料を獲得する方法。
【請求項８】
前記資料情報を資料抽出サーバーに送信した後、前記端末が、前記資料情報を削除するステップをさらに含むことを特徴とする請求項１又は２に記載の証明資料を獲得する方法。
【請求項９】
前記ターゲットアプリケーションにログインするステップは、
前記端末が、前記ターゲットアプリケーションのクライアントを介して前記ターゲットアプリケーションにログインするステップ、又は、
前記端末が、前記ターゲットアプリケーションが提供するウェブページにアクセスすることを介して前記ターゲットアプリケーションにログインするステップ、
を含むことを特徴とする請求項１又は２に記載の証明資料を獲得する方法。
【請求項１０】
前記端末が、資料抽出クライアントを介して、前記ターゲットアプリケーションのクライアントのスタートボタンを表示するステップと、
前記端末が、ユーザーが前記スタートボタンをトリガーして生成されたスタート命令を受信するステップと、
前記端末が、前記スタート命令に基づき、前記端末に前記ターゲットアプリケーションのクライアントがインストールされているか否かを検出するステップと、
前記端末に、前記ターゲットアプリケーションのクライアントがインストールされている場合、前記端末が、前記ターゲットアプリケーションのクライアントをスタートするステップと、
前記端末に、前記ターゲットアプリケーションのクライアントがインストールされていない場合、前記端末が、前記ターゲットアプリケーションのクライアントへのインストールを促す情報をユーザーに提示するためのインストール提示情報を表示するステップと、
をさらに含むことを特徴とする請求項１又は２に記載の証明資料を獲得する方法。
【請求項１１】
資料抽出サーバーに応用される方法であって、
前記資料抽出サーバーが、端末から送信された資料情報を受信し、前記資料情報はページ情報又は証明資料を含み、前記ページ情報はターゲットアプリケーションから獲得したものであり、前記ターゲットアプリケーションは、前記端末がユーザーから入力した、前記証明資料が所在する合法的出所の識別子によって確定したものであり、前記ページ情報は前記証明資料を含むステップと、
前記資料抽出サーバーが、前記資料情報から前記証明資料を抽出するステップと、
を含み、
前記資料情報は前記ページ情報を含み、前記ページ情報は少なくとも一つのページキャプチャを含み、
前記資料情報から前記証明資料を抽出するステップは、
前記資料抽出サーバーが、前記少なくとも一つのページキャプチャにおけるそれぞれのページキャプチャに対し、予め設定された証明キャラクタが含まれているか否かを順次に検出するステップと、
前記資料抽出サーバーが、前記少なくとも一つのページキャプチャにおける前記予め設定された証明キャラクタが含まれているページキャプチャを、前記証明資料として確定するステップと、
を含み、
前記少なくとも一つのページキャプチャにおけるそれぞれのページキャプチャに対し、予め設定された証明キャラクタが含まれているか否かを順次に検出するステップは、
前記資料抽出サーバーが、光学文字認識技術（ＯＣＲ）を採用して、前記少なくとも一つのページキャプチャにおけるそれぞれのページキャプチャに対し、予め設定された証明キャラクタが含まれているか否かを順次に検出するステップ
を含むことを特徴とする証明資料を獲得する方法。
【請求項１２】
前記資料情報は、前記ターゲットアプリケーションの単一性識別子をさらに含み、
前記資料抽出サーバーが、予め設定された信頼できる識別子表を検索し、前記信頼できる識別子表は、信頼できるアプリケーションの単一性識別子を記録するために用いられるステップと、
前記信頼できる識別子表に、前記ターゲットアプリケーションの単一性識別子が記録されている場合、前記資料抽出サーバーが、前記資料情報中の証明資料を信頼できる証明資料として確定するステップと、
をさらに含むことを特徴とする請求項１１に記載の証明資料を獲得する方法。
【請求項１３】
前記資料情報は、前記ターゲットアプリケーションの単一性識別子をさらに含み、
前記資料抽出サーバーが、前記証明資料におけるそれぞれの資料のフォーマット情報を獲得し、前記フォーマット情報は、クライアントインタフェースにおけるフォーマット情報、又はウェブページのフォーマット情報であるステップと、
前記資料抽出サーバーが、前記ターゲットアプリケーションの単一性識別子に対応する信頼できるフォーマット情報表を獲得し、前記信頼できるフォーマット情報表は、前記ターゲットアプリケーションの単一性識別子に対応する信頼できるフォーマット情報を記録するために用いられるステップと、
前記資料抽出サーバーが、前記ターゲットアプリケーションの単一性識別子に対応する信頼できるフォーマット情報表を検索するステップと、
前記信頼できるフォーマット情報表に、前記証明資料中の各資料のフォーマット情報が記録されている場合、前記資料抽出サーバーが、前記資料情報中の証明資料を信頼できる証明資料として確定するステップと、
をさらに含むことを特徴とする請求項１１に記載の証明資料を獲得する方法。
【請求項１４】
ユーザーから入力した、証明資料が所在する合法的出所の識別子によって、前記証明資料を提供するためのターゲットアプリケーションを確定する確定モジュールと、
前記証明資料を含む前記ターゲットアプリケーションにより端末上に表示されるページ情報を獲得する情報獲得モジュールと、
資料抽出サーバーが資料情報から前記証明資料を抽出するように、前記ページ情報又は前記証明資料を含む資料情報を前記資料抽出サーバーに送信する送信モジュールと、
を含み、
前記情報獲得モジュールは、
前記ターゲットアプリケーションにログインするログインサブモジュールと、
前記ターゲットアプリケーションが表示する少なくとも一つのページをキャプチャして、少なくとも一つのページキャプチャを含む前記ページ情報を獲得するキャプチャサブモジュールと、
を含み、
前記キャプチャサブモジュールは、
前記ターゲットアプリケーションが表示するログインページからキャプチャを開始し、
予め設定された時間内に、前記ターゲットアプリケーションが表示するページに変化がない場合に、又は、前記ターゲットアプリケーションが再びログインページを表示する場合に、キャプチャを中止し、
キャプチャを開始してからキャプチャ中止するまでに獲得した少なくとも一つのページキャプチャを、前記ページ情報とするように構成される、
ことを特徴とする証明資料を獲得する装置。
【請求項１５】
ユーザーから入力した、証明資料が所在する合法的出所の識別子によって、前記証明資料を提供するためのターゲットアプリケーションを確定する確定モジュールと、
前記証明資料を含む前記ターゲットアプリケーションにより端末上に表示されるページ情報を獲得する情報獲得モジュールと、
資料抽出サーバーが資料情報から前記証明資料を抽出するように、前記ページ情報又は前記証明資料を含む資料情報を前記資料抽出サーバーに送信する送信モジュールと、
を含み、
前記情報獲得モジュールは、
前記ターゲットアプリケーションにログインするログインサブモジュールと、
前記ターゲットアプリケーションが表示する少なくとも一つのページをキャプチャして、少なくとも一つのページキャプチャを含む前記ページ情報を獲得するキャプチャサブモジュールと、
を含み、
前記キャプチャサブモジュールは、
キャプチャボタンをトリガーして生成されたキャプチャ命令を受信し、
受信したキャプチャ命令に基づき、前記ターゲットアプリケーションの現在のページをキャプチャして、少なくとも一つのページキャプチャを獲得し、当該ページキャプチャを前記ページ情報とするように構成される、
ことを特徴とする証明資料を獲得する装置。
【請求項１６】
前記少なくとも一つのページキャプチャにおけるそれぞれのページキャプチャに対し、予め設定された証明キャラクタが含まれているか否かを順次に検出するキャラクタ検出モジュールと、
前記少なくとも一つのページキャプチャにおける前記予め設定された証明キャラクタが含まれているページキャプチャを、前記証明資料として確定する確定モジュールと、
をさらに含むことを特徴とする請求項１４又は１５に記載の証明資料を獲得する装置。
【請求項１７】
前記キャラクタ検出モジュールは、
光学文字認識技術（ＯＣＲ）を採用して、前記少なくとも一つのページキャプチャにおけるそれぞれのページキャプチャに対し、予め設定された証明キャラクタが含まれているか否かを順次に検出するように構成される、
ことを特徴とする請求項１６に記載の証明資料を獲得する装置。
【請求項１８】
前記キャプチャボタンは、フローティングアクションボタン、ホームボタン、予め設定されたハードウェアボタン中のいずれか一つである、
ことを特徴とする請求項１５に記載の証明資料を獲得する装置。
【請求項１９】
前記キャプチャを行う過程において、前記ターゲットアプリケーションの単一性識別子を獲得する識別子獲得モジュールと、
予め設定された信頼できる識別子表を検索し、前記信頼できる識別子表は、信頼できるアプリケーションの単一性識別子を記録するために用いられる検索モジュールとをさらに含み、
前記送信モジュールは、
前記信頼できる識別子表に、前記ターゲットアプリケーションの単一性識別子が記録されている場合、前記の資料情報を前記資料抽出サーバーに送信するステップを実行するように構成される、
ことを特徴とする請求項１４又は１５に記載の証明資料を獲得する装置。
【請求項２０】
メモリーモジュールをさらに含み、前記メモリーモジュールは、
前記ページ情報を指定された位置に隔離して記憶する、及び／又は、
前記ページ情報を暗号化して記憶するように構成される、
ことを特徴とする請求項１４又は１５に記載の証明資料を獲得する装置。
【請求項２１】
資料情報を前記資料抽出サーバーに送信した後、前記資料情報を削除する削除モジュールをさらに含む、
ことを特徴とする請求項１４又は１５に記載の証明資料を獲得する装置。
【請求項２２】
前記ログインサブモジュールは、
前記ターゲットアプリケーションのクライアントを介して前記ターゲットアプリケーションにログインする、又は、
前記ターゲットアプリケーションが提供するウェブページにアクセスすることを介して前記ターゲットアプリケーションにログインするように構成される、
ことを特徴とする請求項１４又は１５に記載の証明資料を獲得する装置。
【請求項２３】
資料抽出クライアントを介して、前記ターゲットアプリケーションのクライアントのスタートボタンを表示する表示モジュールと、
ユーザーが前記スタートボタンをトリガーして生成されたスタート命令を受信する受信モジュールと、
前記スタート命令に基づき、端末に前記ターゲットアプリケーションのクライアントがインストールされているか否かを検出するクライアント検出モジュールと、
前記端末に、前記ターゲットアプリケーションのクライアントがインストールされている場合、前記ターゲットアプリケーションのクライアントをスタートするスタートモジュールと、
前記端末に、前記ターゲットアプリケーションのクライアントがインストールされていない場合、前記ターゲットアプリケーションのクライアントへのインストールをユーザーに促す情報を提示するためのインストール提示情報を表示する提示モジュールと、
をさらに含むことを特徴とする請求項１４又は１５に記載の証明資料を獲得する装置。
【請求項２４】
端末から送信された資料情報を受信し、前記資料情報はページ情報又は証明資料を含み、前記ページ情報はターゲットアプリケーションから獲得したものであり、前記ターゲットアプリケーションは、前記端末がユーザーから入力された、前記証明資料が所在する合法的出所の識別子によって確定したものであり、前記ページ情報は前記証明資料を含む受信モジュールと、
前記資料情報から前記証明資料を抽出する抽出モジュールと、
を含み、
前記資料情報は前記ページ情報を含み、前記ページ情報は少なくとも一つのページキャプチャを含み、
前記抽出モジュールは、
前記少なくとも一つのページキャプチャにおけるそれぞれのページキャプチャに対し、予め設定された証明キャラクタが含まれているか否かを順次に検出する検出サブモジュールと、
前記少なくとも一つのページキャプチャにおける前記予め設定された証明キャラクタが含まれているページキャプチャを、前記証明資料として確定する確定サブモジュールと、
を含み、
前記検出サブモジュールは、
光学文字認識技術（ＯＣＲ）を採用して、前記少なくとも一つのページキャプチャにおけるそれぞれのページキャプチャに対し、予め設定された証明キャラクタが含まれているか否かを順次に検出するように構成される、
ことを特徴とする証明資料を獲得する装置。
【請求項２５】
前記資料情報は、前記ターゲットアプリケーションの単一性識別子をさらに含み、前記装置は、
予め設定された信頼できる識別子表を検索し、前記信頼できる識別子表は、信頼できるアプリケーションの単一性識別子を記録するために用いられる第１の検索モジュールと、
前記信頼できる識別子表に、前記ターゲットアプリケーションの単一性識別子が記録されている場合、前記資料情報中の証明資料を信頼できる証明資料として確定する第１の確定モジュールと、
をさらに含むことを特徴とする請求項２４に記載の証明資料を獲得する装置。
【請求項２６】
前記資料情報は、前記ターゲットアプリケーションの単一性識別子をさらに含み、前記装置は、
前記証明資料におけるそれぞれの資料のフォーマット情報を獲得し、前記フォーマット情報は、クライアントインタフェースにおけるフォーマット情報、又はウェブページのフォーマット情報である情報獲得モジュールと、
前記ターゲットアプリケーションの単一性識別子に対応する信頼できるフォーマット情報表を獲得し、前記信頼できるフォーマット情報表は、前記ターゲットアプリケーションの単一性識別子に対応する信頼できるフォーマット情報を記録するために用いられる情報表獲得モジュールと、
前記ターゲットアプリケーションの単一性識別子に対応する信頼できるフォーマット情報表を検索する第２の検索モジュールと、
前記信頼できるフォーマット情報表に、前記証明資料中の各資料のフォーマット情報が記録されている場合、前記資料情報中の証明資料を信頼できる証明資料として確定する第２の確定モジュールと、
をさらに含むことを特徴とする請求項２４に記載の証明資料を獲得する装置。
【請求項２７】
プロセッサと、
前記プロセッサで実行可能な命令を記憶するためのメモリとを備え、
前記プロセッサは、
ユーザーから入力した、証明資料が所在する合法的出所の識別子によって、前記証明資料を提供するためのターゲットアプリケーションを確定し、
前記証明資料を含む前記ターゲットアプリケーションにより端末上に表示されるページ情報を獲得し、
資料抽出サーバーが資料情報から前記証明資料を抽出するように、前記ページ情報又は前記証明資料を含む資料情報を前記資料抽出サーバーに送信するように構成され、
前記ページ情報を獲得することは、
前記ターゲットアプリケーションにログインすること、及び
前記ターゲットアプリケーションが表示する少なくとも一つのページをキャプチャして、少なくとも一つのページキャプチャを含む前記ページ情報を獲得すること、
を含み、
前記ターゲットアプリケーションが表示する少なくとも一つのページをキャプチャして、前記ページ情報を獲得することは、
前記ターゲットアプリケーションが表示するログインページからキャプチャを開始すること、
予め設定された時間内に、前記ターゲットアプリケーションが表示するページに変化がない場合に、又は、前記ターゲットアプリケーションが再びログインページを表示する場合に、キャプチャを中止すること、及び、
キャプチャを開始してからキャプチャを中止するまでに獲得した少なくとも一つのページキャプチャを、前記ページ情報とすること、
を含む
ことを特徴とする証明資料を獲得する装置。
【請求項２８】
プロセッサと、
前記プロセッサで実行可能な命令を記憶するためのメモリとを備え、
前記プロセッサは、
ユーザーから入力した、証明資料が所在する合法的出所の識別子によって、前記証明資料を提供するためのターゲットアプリケーションを確定し、
前記証明資料を含む前記ターゲットアプリケーションにより端末上に表示されるページ情報を獲得し、
資料抽出サーバーが資料情報から前記証明資料を抽出するように、前記ページ情報又は前記証明資料を含む資料情報を前記資料抽出サーバーに送信するように構成され、
前記ターゲットアプリケーションのページ情報を獲得することは、
前記ターゲットアプリケーションにログインすること、及び
前記ターゲットアプリケーションが表示する少なくとも一つのページをキャプチャして、少なくとも一つのページキャプチャを含む前記ページ情報を獲得すること、
を含み、
前記ターゲットアプリケーションが表示する少なくとも一つのページをキャプチャして、前記ページ情報を獲得することは、
キャプチャボタンをトリガーして生成されたキャプチャ命令を受信すること、及び、
受信したキャプチャ命令に基づき、前記ターゲットアプリケーションの現在のページをキャプチャし、獲得した少なくとも一つのページキャプチャを前記ページ情報とすること、
を含む
ことを特徴とする証明資料を獲得する装置。
【請求項２９】
プロセッサと、
前記プロセッサで実行可能な命令を記憶するためのメモリとを備え、
前記プロセッサは、
端末から送信された資料情報を受信し、前記資料情報はページ情報又は証明資料を含み、前記ページ情報はターゲットアプリケーションから獲得したものであり、前記ターゲットアプリケーションは、前記端末がユーザーから入力した、前記証明資料が所在する合法的出所の識別子によって確定したものであり、前記ページ情報は前記証明資料を含み、
前記資料情報から前記証明資料を抽出するように構成され、
前記資料情報は前記ページ情報を含み、前記ページ情報は少なくとも一つのページキャプチャを含み、
前記資料情報から前記証明資料を抽出することは、
前記少なくとも一つのページキャプチャにおけるそれぞれのページキャプチャに対し、予め設定された証明キャラクタが含まれているか否かを順次に検出すること、及び、
前記少なくとも一つのページキャプチャにおける前記予め設定された証明キャラクタが含まれているページキャプチャを、前記証明資料として確定すること、
を含み、
前記少なくとも一つのページキャプチャにおけるそれぞれのページキャプチャに対し、予め設定された証明キャラクタが含まれているか否かを順次に検出することは、
光学文字認識技術（ＯＣＲ）を採用して、前記少なくとも一つのページキャプチャにおけるそれぞれのページキャプチャに対し、予め設定された証明キャラクタが含まれているか否かを順次に検出すること
を含む
ことを特徴とする証明資料を獲得する装置。
【請求項３０】
プロセッサーに実行されることにより、請求項１〜１３のいずれか１項に記載の証明資料を獲得する方法を実現する、プログラム。
【請求項３１】
請求項３０に記載のプログラムが記録されたコンピュータ読取可能な記録媒体。
【発明の詳細な説明】
【技術分野】
【０００１】
本願は、電子技術の応用分野に関し、特に証明資料を獲得する方法、装置、プログラム、及び記録媒体に関する。
【背景技術】
【０００２】
証明資料は公民の特定の属性を証明するための資料であり、多くの分野において、特に金融ローン類の分野において使用頻度が高い。通常、証明資料は身元証明、所得証明、銀行取引明細証明、職業証明などを含むことができる。
【０００３】
関連技術において、ユーザーは、通常公印が押されている書面証明資料を提供して、関係者により証明資料の真偽を鑑定することができ、又は特定の機関は、そのネットワークシステムから相応の証明資料を獲得することができる。例えば、銀行は銀行ネットワークシステムからユーザーの銀行取引明細証明を獲得することができる。
【発明の概要】
【発明が解決しようとする課題】
【０００４】
本発明の実施例では、証明資料を獲得する複雑さが比較的に高く、効率が比較的に低い問題を解決するための、証明資料を獲得する方法、装置、プログラム、及び記録媒体を提供する。
【課題を解決するための手段】
【０００５】
本発明の第１の態様によれば、
ユーザーから入力した証明資料が所在する合法的出所の識別子によって、前記証明資料を提供するためのターゲットアプリケーションを確定するステップと、
前記証明資料を含む前記ターゲットアプリケーションのページ情報を獲得するステップと、
資料抽出サーバーが資料情報から前記証明資料を抽出するように、前記資料抽出サーバーに前記ページ情報又は前記証明資料を含む資料情報を送信するステップと、を含む証明資料を獲得する方法を提供する。
【０００６】
選択的に、前記ターゲットアプリケーションのページ情報を獲得するステップは、
前記ターゲットアプリケーションにログインするステップと、
前記ターゲットアプリケーションが表示する少なくとも一つのページをキャプチャして、少なくとも一つのページキャプチャを含む前記ページ情報を獲得するステップと、を含む。
【０００７】
選択的に、前記ターゲットアプリケーションのページ情報を獲得するステップは、
前記ターゲットアプリケーションにログインするステップと、
前記ターゲットアプリケーションのページウィンドウからデータ形式で前記ページ情報を獲得し、前記ターゲットアプリケーションのページウィンドウは少なくとも一つのページウィンドウを含むステップと、を含む。
【０００８】
選択的に、前記ターゲットアプリケーションが表示する少なくとも一つのページをキャプチャして、前記ページ情報を獲得するステップは、
前記ターゲットアプリケーションが表示するログインページからキャプチャを開始するステップと、
予め設定された時間内に、前記ターゲットアプリケーションが表示するページに変化がない場合に、又は、前記ターゲットアプリケーションに再びログインページが表示される時に、キャプチャを中止するステップと、
キャプチャを開始してからキャプチャを中止するまでに獲得した少なくとも一つのページキャプチャを前記ページ情報とするステップと、を含む。
【０００９】
選択的に、前記ターゲットアプリケーションが表示する少なくとも一つのページをキャプチャして、前記ページ情報を獲得するステップは、
キャプチャボタンをトリガーして生成されたキャプチャ命令を受信するステップと、
受信したキャプチャ命令に基づき、前記ターゲットアプリケーションの現在のページをキャプチャして、少なくとも一つのページキャプチャを獲得し、当該ページキャプチャを前記ページ情報とするステップと、を含む。
【００１０】
選択的に、前記ターゲットアプリケーションが表示する少なくとも一つのページをキャプチャして、前記ページ情報を獲得するステップは、
前記ターゲットアプリケーションが表示する少なくとも一つのページにおけるそれぞれのページに対し、予め設定された証明キャラクタが含まれているか否かを順次に検出するステップと、
前記少なくとも一つのページにおける前記予め設定された証明キャラクタが含まれているページをキャプチャして、少なくとも一つのページキャプチャを獲得し、当該ページキャプチャを前記ページ情報とするステップと、を含む。
【００１１】
選択的に、前記方法は、
前記少なくとも一つのページキャプチャにおけるそれぞれのページキャプチャに対し、予め設定された証明キャラクタが含まれているか否かを順次に検出するステップと、
前記少なくとも一つのページキャプチャにおける前記予め設定された証明キャラクタが含まれているページキャプチャを、証明資料として確定するステップと、をさらに含む。
【００１２】
選択的に、前記少なくとも一つのページキャプチャにおけるそれぞれのページキャプチャに対し、予め設定された証明キャラクタが含まれているか否かを順次に検出するステップは、
光学文字認識技術（ＯＣＲ）を採用して、前記少なくとも一つのページキャプチャにおけるそれぞれのページキャプチャに対し、予め設定された証明キャラクタが含まれているか否かを順次に検出するステップを含む。
【００１３】
選択的に、前記キャプチャボタンはフローティングアクションボタン、ホームボタン、予め設定されたハードウェアボタン中のいずれか一つである。
【００１４】
選択的に、前記方法は、
前記キャプチャを行う過程において、前記ターゲットアプリケーションの単一性識別子を獲得し、前記単一性識別子は前記キャプチャの合法性を唯一に標識するための検証情報であるステップをさらに含む。
【００１５】
選択的に、前記方法は、
信頼できるアプリケーションの単一性識別子を記録するための予め設定された信頼できる識別子表を検索するステップをさらに含み、
前記資料抽出サーバーに資料情報を送信するステップは、
前記信頼できる識別子表に、前記ターゲットアプリケーションの単一性識別子が記録されている場合、前記資料抽出サーバーに資料情報を送信することを実行するステップを含む。
【００１６】
選択的に、前記方法は、
前記ページ情報を指定された位置に隔離して記憶するステップと、及び/又は、
前記ページ情報を暗号化して記憶するステップと、をさらに含む。
【００１７】
選択的に、前記方法は、
前記資料情報を資料抽出サーバーに送信した後、前記資料情報を削除するステップ、をさらに含む。
【００１８】
選択的に、前記ターゲットアプリケーションにログインするステップは、
前記ターゲットアプリケーションのクライアントを介して前記ターゲットアプリケーションにログインするステップと、又は、
前記ターゲットアプリケーションが提供するウェブページにアクセスすることを介して、前記ターゲットアプリケーションにログインするステップを含む。
【００１９】
選択的に、前記方法は、
資料抽出クライアントを介して、前記ターゲットアプリケーションのクライアントのスタートボタンを表示するステップと、
ユーザーが前記スタートボタンをトリガーして生成されたスタート命令を受信するステップと、
前記スタート命令に基づき、端末に前記ターゲットアプリケーションのクライアントがインストールされているか否かを検出するステップと、
前記端末に、前記ターゲットアプリケーションのクライアントがインストールされている場合、前記ターゲットアプリケーションのクライアントを起動するステップと、
前記端末に前記ターゲットアプリケーションのクライアントがインストールされていない場合、前記ターゲットアプリケーションクライアントのインストールをユーザーに提示するためのインストール提示情報を表示するステップと、をさらに含む。
【００２０】
本発明の第２の態様によれば、
端末から送信された資料情報を受信し、前記資料情報はページ情報又は証明資料を含み、前記ページ情報はターゲットアプリケーションから獲得したものであり、前記ターゲットアプリケーションは、前記端末がユーザーから入力した前記証明資料が所在する合法的出所の識別子によって確定したものであり、前記ページ情報は前記証明資料を含むステップと、
前記資料情報から前記証明資料を抽出するステップと、
を含む証明資料を獲得する方法を提供する。
【００２１】
選択的に、前記資料情報はページ情報を含み、前記ページ情報は少なくとも一つのページキャプチャを含み、前記資料情報から前記証明資料を抽出するステップは、
前記少なくとも一つのページキャプチャにおけるそれぞれのページキャプチャに対し、予め設定された証明キャラクタが含まれているか否かを順次に検出するステップと、
前記少なくとも一つのページキャプチャにおいて、前記予め設定された証明キャラクタを含むページキャプチャを、前記証明資料として確定するステップと、を含む。
【００２２】
選択的に、前記少なくとも一つのページキャプチャにおけるそれぞれのページキャプチャに対し、予め設定された証明キャラクタが含まれているか否かを順次に検出するステップは、
光学文字認識技術（ＯＣＲ）を採用して、前記少なくとも一つのページキャプチャにおけるそれぞれのページキャプチャに対し、予め設定された証明キャラクタが含まれているか否かを順次に検出するステップを含む。
【００２３】
選択的に、前記資料情報は、前記ターゲットアプリケーションの単一性識別子をさらに含み、前記単一性識別子は、前記キャプチャの合法性を唯一に標識するための検証情報であり、前記方法は、
信頼できるアプリケーションの単一性識別子を記録するための予め設定された信頼できる識別子表を検索するステップと、
前記信頼できる識別子表に、前記ターゲットアプリケーションの単一性識別子が記録されている場合、前記資料情報中の証明資料を信頼できる証明資料として確定するステップと、をさらに含む。
【００２４】
選択的に、前記資料情報は、前記ターゲットアプリケーションの単一性識別子をさらに含み、前記単一性識別子は、前記キャプチャの合法性を唯一に標識するための検証情報であり、前記方法は、
前記証明資料におけるそれぞれの資料のフォーマット情報を獲得するステップと、
前記ターゲットアプリケーションの単一性識別子に対応する信頼できるフォーマット情報表を獲得し、前記信頼できるフォーマット情報表は、前記ターゲットアプリケーションの単一性識別子に対応する信頼できるフォーマット情報を記録するために用いられるステップと、
前記ターゲットアプリケーションの単一性識別子に対応する信頼できるフォーマット情報表を検索するステップと、
前記信頼できるフォーマット情報表に、前記証明資料中のそれぞれの資料のフォーマット情報が記録されている場合、前記資料情報中の証明資料を信頼できる証明資料として確定するステップと、をさらに含む。
【００２５】
本発明の第３の態様によれば、
ユーザーから入力した証明資料が所在する合法的出所の識別子によって、前記証明資料を提供するためのターゲットアプリケーションを確定する確定モジュールと、
前記証明資料を含む前記ターゲットアプリケーションのページ情報を獲得する情報獲得モジュールと、
資料抽出サーバーが資料情報から証明資料を抽出するように、前記ページ情報又は前記証明資料を含む前記資料情報を資料抽出サーバーに送信する送信モジュールと、を含む証明資料を獲得する装置を提供する。
【００２６】
選択的に、前記情報獲得モジュールは、
前記ターゲットアプリケーションにログインするログインサブモジュールと、
前記ターゲットアプリケーションが表示する少なくとも一つのページをキャプチャして、少なくとも一つのページキャプチャを含む前記ページ情報を獲得するキャプチャサブモジュールと、を含む。
【００２７】
選択的に、情報獲得モジュールは、
前記ターゲットアプリケーションにログインするログインサブモジュールと、
少なくとも一つのページウィンドウを含む前記ターゲットアプリケーションのページウィンドウから、データ形式で前記ページ情報を獲得する獲得サブモジュールと、を含む。
【００２８】
選択的に、前記キャプチャサブモジュールは、
前記ターゲットアプリケーションが表示するログインページからキャプチャを始め、
予め設定された時間内に、前記ターゲットアプリケーションが表示するページに変化がない場合に、又は、前記ターゲットアプリケーションが再びログインページを表示する場合に、キャプチャを中止し、
キャプチャを開始してからキャプチャ中止するまでに獲得した少なくとも一つのページキャプチャを、前記ページ情報とするように構成される。
【００２９】
選択的に、前記キャプチャサブモジュールは、
キャプチャボタンをトリガーして生成されたキャプチャ命令を受信し、
受信したキャプチャ命令に基づき、前記ターゲットアプリケーションの現在のページをキャプチャして、少なくとも一つのページキャプチャを獲得し、当該ページキャプチャを前記ページ情報とするように構成される。
【００３０】
選択的に、前記キャプチャサブモジュールは、
前記ターゲットアプリケーションが表示する少なくとも一つのページにおけるそれぞれのページに対し、予め設定された証明キャラクタが含まれているか否かを順次に検出し、
前記少なくとも一つのページにおいて、前記予め設定された証明キャラクタが含まれているページをキャプチャして、少なくとも一つのページキャプチャを獲得し、当該ページキャプチャを前記ページ情報とするように構成される。
【００３１】
選択的に、前記装置は、
前記少なくとも一つのページキャプチャにおけるそれぞれのページキャプチャに対し、予め設定された証明キャラクタが含まれているか否かを順次に検出するキャラクタ検出モジュールと、
前記少なくとも一つのページキャプチャにおいて、前記予め設定された証明キャラクタが含まれているページキャプチャを前記証明資料として確定する確定モジュールと、をさらに含む。
【００３２】
選択的に、前記キャラクタ検出モジュールは、
光学文字認識技術（ＯＣＲ）を採用して、前記少なくとも一つのページキャプチャにおけるそれぞれのページキャプチャに対し、予め設定された証明キャラクタが含まれているか否かを順次に検出するように構成される。
【００３３】
選択的に、前記キャプチャボタンはフローティングアクションボタン、ホームボタン、予め設定されたハードウェアボタン中のいずれか一つである。
【００３４】
選択的に、前記装置は、
前記キャプチャを行う過程において、前記ターゲットアプリケーションの単一性識別子を獲得し、前記単一性識別子は、前記キャプチャの合法性を唯一に標識するための検証情報である識別子獲得モジュール、をさらに含む。
【００３５】
選択的に、前記装置は、
信頼できるアプリケーションの単一性識別子を記録するための予め設定された信頼できる識別子表を検索する検索モジュールをさらに含み、
前記送信モジュールは、
前記信頼できる識別子表に、前記ターゲットアプリケーションの単一性識別子が記録されている場合、前記資料情報を資料抽出サーバーに送信するステップを実行するように構成される。
【００３６】
選択的に、前記装置は、メモリーモジュールをさらに含み、前記メモリーモジュールは、
前記ページ情報を指定された位置に隔離して記憶する、及び/又は、
前記ページ情報を暗号化して記憶するように構成される。
【００３７】
選択的に、前記装置は、
前記資料情報を資料抽出サーバーに送信した後、前記資料情報を削除する削除モジュール、をさらに含む。
【００３８】
選択的に、前記ログインサブモジュールは、
前記ターゲットアプリケーションのクライアントを介して前記ターゲットアプリケーションにログインし、又は、
前記ターゲットアプリケーションが提供するウェブページにアクセスすることを介して前記ターゲットアプリケーションにログインするように構成される。
【００３９】
選択的に、前記装置は、
資料抽出クライアントを介して、前記ターゲットアプリケーションのクライアントのスタートボタンを表示する表示モジュールと、
ユーザーが前記スタートボタンをトリガーして生成されたスタート命令を受信する受信モジュールと、
前記スタート命令に基づき、端末に前記ターゲットアプリケーションのクライアントがインストールされているか否かを検出するクライアント検出モジュールと、
前記端末に、前記ターゲットアプリケーションのクライアントがインストールされている場合、前記ターゲットアプリケーションのクライアントを起動するスタートモジュールと、
前記端末に、前記ターゲットアプリケーションのクライアントがインストールされていない場合、前記ターゲットアプリケーションクライアントのインストールをユーザーに提示するためのインストール提示情報を表示する提示モジュールと、をさらに含む。
【００４０】
本発明の第４の態様によれば、
端末から送信された資料情報を受信し、前記資料情報はページ情報又は証明資料を含み、前記ページ情報はターゲットアプリケーションから獲得したものであり、前記ターゲットアプリケーションは、前記端末がユーザーから入力した前記証明資料が所在する合法的出所の識別子によって確定したものであり、前記ページ情報は前記証明資料を含む受信モジュールと、
前記資料情報から前記証明資料を抽出する抽出モジュールと、を含む証明資料を獲得する装置を提供する。
【００４１】
選択的に、前記資料情報は前記ページ情報を含み、前記ページ情報は少なくとも一つのページキャプチャを含み、
前記抽出モジュールは、
前記少なくとも一つのページキャプチャにおけるそれぞれのページキャプチャに対し、予め設定された証明キャラクタが含まれているか否かを順次に検出する検出サブモジュールと、
前記少なくとも一つのページキャプチャにおける前記予め設定された証明キャラクタが含まれているページキャプチャを、前記証明資料として確定する確定サブモジュールを含む。
【００４２】
選択的に、前記検出サブモジュールは、
光学文字認識技術（ＯＣＲ）を採用して、前記少なくとも一つのページキャプチャにおけるそれぞれのページキャプチャに対し、予め設定された証明キャラクタが含まれているか否かを順次に検出するように構成される。
【００４３】
選択的に、前記資料情報は、前記ターゲットアプリケーションの単一性識別子をさらに含み、前記単一性識別子は、前記キャプチャの合法性を唯一に標識するための検証情報であり、前記装置は、
信頼できるアプリケーションの単一性識別子を記録するための予め設定された信頼できる識別子表を検索する第１の検索モジュールと、
前記信頼できる識別子表に、前記ターゲットアプリケーションの単一性識別子が記録されている場合、前記資料情報中の証明資料を信頼できる証明資料として確定する第１の確定モジュールと、をさらに含む。
【００４４】
選択的に、前記資料情報は、前記ターゲットアプリケーションの単一性識別子をさらに含み、前記単一性識別子は、前記キャプチャの合法性を唯一に標識するための検証情報であり、前記装置は、
前記証明資料におけるそれぞれの資料のフォーマット情報を獲得する情報獲得モジュールと、
前記ターゲットアプリケーションの単一性識別子に対応する信頼できるフォーマット情報表を獲得し、前記信頼できるフォーマット情報表は、前記ターゲットアプリケーションの単一性識別子に対応する信頼できるフォーマット情報を記録するために用いられる情報表獲得モジュールと、
前記ターゲットアプリケーションの単一性識別子に対応する信頼できるフォーマット情報表を検索する第２の検索モジュールと、
前記信頼できるフォーマット情報表に、前記証明資料中のそれぞれの資料のフォーマット情報が記録されている場合、前記資料情報中の証明資料を信頼できる証明資料として確定する第２の確定モジュールと、をさらに含む。
【００４５】
本発明の第５の態様によれば、
プロセッサと、
前記プロセッサで実行可能な命令を記憶するためのメモリを備え、
前記プロセッサは、
ユーザーから入力した証明資料が所在する合法的出所の識別子によって、前記証明資料を提供するためのターゲットアプリケーションを確定し、
前記証明資料を含む前記ターゲットアプリケーションのページ情報を獲得し、
資料抽出サーバーが資料情報から証明資料を抽出するように、前記ページ情報又は前記証明資料を含む前記資料情報を前記資料抽出サーバーに送信するように構成される、
証明資料を獲得する装置を提供する。
【００４６】
本発明の第６の態様によれば、
プロセッサと、
前記プロセッサで実行可能な命令を記憶するためのメモリを備え、
前記プロセッサは、
端末から送信された資料情報を受信し、前記資料情報はページ情報又は証明資料を含み、前記ページ情報は、ターゲットアプリケーションから獲得したものであり、前記ターゲットアプリケーションは、前記端末がユーザーから入力した前記証明資料が所在する合法的出所の識別子によって確定したものであり、前記ページ情報は前記証明資料を含み、
前記資料情報から前記証明資料を抽出するように構成される、
証明資料を獲得する装置を提供する。
本発明の第７の態様によれば、
プロセッサに実行されることにより、上記の証明資料を獲得する方法を実現する、プログラムを提供する。
本発明の第８の態様によれば、
上記プログラムが記録されたコンピュータ読取可能な記録媒体を提供する。
【発明の効果】
【００４７】
本発明に提供された技術案によれば、以下のような技術効果が奏される。
【００４８】
本発明の実施例により提供された証明資料を獲得する方法及び装置によれば、端末は、ユーザーから入力した証明資料が所在する合法的出所の識別子によって、ターゲットアプリケーションを確定して、前記ターゲットアプリケーションのページ情報を獲得し、且つページ情報又は証明資料を含む資料情報を資料抽出サーバーに送信するため、ユーザーが書面証明資料を提供する必要がなくなり、特定の機関がそのネットワークシステムを介して証明資料を獲得する必要もなくなって、証明資料を獲得する複雑さを効果的に低下させ、証明資料の獲得効率を向上させることができる。
【００４９】
なお、前記一般的な記載及び後述の詳細な記載は、単なる例示的で解釈的な記載であり、本発明を限定しない。
【図面の簡単な説明】
【００５０】
以下、本発明の実施例をさらに明瞭に説明するために、実施例の記載に使用する必要がある図面に対して簡単に紹介する。なお、以下の記載における図面はただ本発明の一部の実施例に過ぎず、当業者の場合、創造的な労働を付与しない前提で、これらの図面によって他の図面を得ることができる。
【図１】一例示的な実施例に係る一部の実施例に提供された証明資料を獲得する方法の実施環境を示す模式図である。
【図２】一例示的な実施例に係る証明資料を獲得する方法のフローチャートである。
【図３】他の例示的な実施例に係る証明資料を獲得する方法のフローチャートである。
【図４−１】他の例示的な実施例に係る証明資料を獲得する方法のフローチャートである。
【図４−２】他の例示的な実施例に係る入力インターフェースの模式図である。
【図４−３】他の例示的な実施例に係る入力インターフェースの模式図である。
【図４−４】他の例示的な実施例に係る端末がユーザーから入力した証明資料が所在する合法的出所の識別子によって、ターゲットアプリケーションに確定する方法のフローチャートである。
【図４−５】他の例示的な実施例に係るターゲットアプリケーションのページ情報を獲得する方法のフローチャートである。
【図４−６】他の例示的な実施例に係るターゲットアプリケーションが提供するウェブページにアクセスすることを介して前記ターゲットアプリケーションにログインする方法のフローチャートである。
【図４−７】他の例示的な実施例に係るターゲットアプリケーションが表示する少なくとも一つのページをキャプチャして、ページ情報を獲得する方法のフローチャートである。
【図４−８】他の例示的な実施例に係るターゲットアプリケーションが表示する少なくとも一つのページをキャプチャして、ページ情報を獲得する方法のフローチャートである。
【図４−９】他の例示的な実施例に係るターゲットアプリケーションが表示する少なくとも一つのページをキャプチャして、ページ情報を獲得する方法のフローチャートである。
【図４−１０】他の例示的な実施例に係る端末がターゲットアプリケーションのページ情報を獲得する方法のフローチャートである。
【図４−１１】他の例示的な実施例に係る証明資料を獲得する方法のフローチャートである。
【図４−１２】他の例示的な実施例に係る端末が証明資料を獲得する方法のフローチャートである。
【図４−１３】他の例示的な実施例に係る証明資料の模式図である。
【図４−１４】他の例示的な実施例に係る証明資料の模式図である。
【図４−１５】他の例示的な実施例に係る資料抽出サーバーが証明資料の信頼性を検証する方法のフローチャートである。
【図５−１】一例示的な実施例に係る証明資料を獲得する装置のブロック図である。
【図５−２】一例示的な実施例に係る情報獲得モジュールのブロック図である。
【図５−３】他の例示的な実施例に係る証明資料を獲得する装置のブロック図である。
【図５−４】他の例示的な実施例に係る証明資料を獲得する装置のブロック図である。
【図５−５】他の例示的な実施例に係る証明資料を獲得する装置のブロック図である。
【図５−６】他の例示的な実施例に係る証明資料を獲得する装置のブロック図である。
【図５−７】他の例示的な実施例に係る証明資料を獲得する装置のブロック図である。
【図５−８】他の例示的な実施例に係る証明資料を獲得する装置のブロック図である。
【図５−９】他の例示的な実施例に係る証明資料を獲得する装置のブロック図である。
【図６−１】他の例示的な実施例に係る証明資料を獲得する装置のブロック図である。
【図６−２】他の例示的な実施例に係る抽出モジュールのブロック図である。
【図６−３】他の例示的な実施例に係る証明資料を獲得する装置のブロック図である。
【図６−４】他の例示的な実施例に係る証明資料を獲得する装置のブロック図である。
【図７】他の例示的な実施例に係る証明資料を獲得する装置のブロック図である。
【図８】他の例示的な実施例に係る証明資料を獲得する装置のブロック図である。
【００５１】
これら図面は、明細書に組み入れて本明細書の一部分を構成し、本発明に該当する実施例を例示するとともに、明細書とともに本発明の原理を解釈する。
【発明を実施するための形態】
【００５２】
本発明の目的、技術案、及び利点をより明確にするために、以下、図面を参照しながら、本発明についてより詳細に説明する。なお、説明される実施例は、単に本発明の一部の実施例に過ぎず、すべての実施例ではない。当業者が本発明の実施例に基づいて、創造的な労働をしていない前提で獲得する他のすべての実施例は、本発明の保護範囲に属する。
【００５３】
図１は、本発明の一部の実施例に提供される証明資料を獲得する方法の実施環境を示す模式図である。前記実施環境は、資料抽出サーバー１１０と、少なくとも一つの端末１２０とを含むことができ、端末１２０には、資料抽出クライアントがインストールされていてもよい。
【００５４】
資料抽出サーバー１１０はサーバーであってもよく、又は複数のサーバーからなるサーバー集合体であってもよく、又はクラウド・コンピューティング・サービスセンターであってもよい。端末１２０は、スマートフォン、コンピュータ、マルチメディアプレイヤー、電子書籍リーダー、ウェアラブルデバイスなどであってもよい。
【００５５】
資料抽出サーバー１１０は、端末１２０と無線又は有線ネットワークを介して接続することができる。
【００５６】
図２は、一例示的な実施例に係る証明資料を獲得する方法のフローチャートであり、図１に示す端末１２０に用いられることができる。前記方法は下記のステップを含む。
【００５７】
ステップ２０１：ユーザーから入力した証明資料が所在する合法的出所の識別子によって、前記証明資料を提供するためのターゲットアプリケーション（ａｐｐ）を確定する。
【００５８】
ステップ２０２：証明資料を含むターゲットアプリケーションのページ情報を獲得する。
【００５９】
ステップ２０３：資料抽出サーバーが資料情報から証明資料を抽出するように、ページ情報又は証明資料を含む前記資料情報を前記資料抽出サーバーに送信する。
【００６０】
前記のように、端末は、ユーザーから入力した証明資料が所在する合法的出所の識別子によって、ターゲットアプリケーションに確定して、前記ターゲットアプリケーションのページ情報を獲得し、且つページ情報又は証明資料を含む資料情報を資料抽出サーバーに送信するため、ユーザーが書面証明資料を提供する必要がなくなり、特定の機関がそのネットワークシステムを介して証明資料を獲得する必要もなくなって、証明資料を獲得する複雑さを効果的に低下させ、証明資料の獲得効率を向上させることができる。
【００６１】
図３は一例示的な実施例に係る証明資料を獲得する方法のフローチャートであり、図１に示す資料抽出サーバー１１０に用いられることができる。前記方法は下記のステップを含む。
【００６２】
ステップ３０１：端末から送信された資料情報を受信し、前記資料情報はページ情報又は証明資料を含み、前記ページ情報は、ターゲットアプリケーションから獲得したものであり、前記ターゲットアプリケーションは、端末がユーザーから入力した証明資料が所在する合法的出所の識別子によって確定したものであり、ページ情報は証明資料を含む。
【００６３】
ステップ３０２：資料情報から証明資料を抽出する。
【００６４】
このように、資料抽出サーバーは、端末から送信された資料情報を直接受信して、当該資料情報から証明資料を抽出することができるため、ユーザーが書面証明資料を提供する必要がなくなり、特定の機関がそのネットワークシステムを介して証明資料を獲得する必要もなくなって、証明資料を獲得する複雑さを効果的に低下させ、証明資料の獲得効率を向上させることができる。
【００６５】
図４−１は、他の例示的な実施例に係る証明資料を獲得する方法のフローチャートであり、図１に示す実施環境に用いられることができる。前記方法は下記のステップを含む。
【００６６】
ステップ４０１：端末は、証明資料を獲得する機能を起動する。
【００６７】
証明資料は、公民の特定の属性を証明するための資料であって、例えば、銀行ローンを申し込む場合、又は職名を申請する場合などのさまざまな場合において、証明資料の獲得を必要としている。従って、証明資料を獲得する必要がある場合に、端末の証明資料を獲得する機能を起動することができる。
【００６８】
一方、端末が正常に運転する過程において、ユーザーは、端末上の予め設定されたフローティングアクションボタン、ホームボタン（Ｈｏｍｅボタン）、又は予め設定されたハードウェアボタンを介して、資料を獲得する機能をスタートすることができ、端末は相応するスタート命令を受信した後、証明資料を獲得する機能をスタートする。
【００６９】
また、端末には資料抽出クライアントがインストールされることができ、前記資料抽出クライアントのインターフェースに資料を獲得する機能ボタンが提供され、ユーザーは、当該資料を獲得する機能ボタンをトリガーすることを介して、資料を獲得する機能のスタートをトリガーすることができ、資料抽出クライアントは、前記資料を獲得する機能ボタンがトリガーされて生成したスタート命令を受信した後、証明資料を獲得する機能をスタートする。
【００７０】
なお、本発明の実施例において、資料抽出クライアントは、通常金融類クライアントであってもよく、例えば、各銀行のクライアント、貯蓄クライアント、支払いクライアントなどである。実際の応用において、その他のクライアントであってもよく、本発明の実施例では、それに対して限定しない。
【００７１】
ステップ４０２：端末は、ユーザーから入力した証明資料が所在する合法的出所の識別子によって、証明資料を提供するためのターゲットアプリケーションを確定する。
【００７２】
本発明の実施例において、証明資料が所在する合法的出所の識別子は、証明資料が所在する公式機関の識別子であってもよく、例えば、証明資料が所得情報である場合、当該証明資料が所在する合法的出所の識別子は銀行の公式サイトの識別子であることができる。相応的に、証明資料を提供するためのターゲットアプリケーションは銀行公式サイトのアプリケーションであってもよい。例えば、証明資料が社会保障情報である場合、当該証明資料が所在する合法的出所の識別子は、社会保障機構の公式サイトの識別子であることができ、それに応じて、証明資料を提供するためのターゲットアプリケーションは、社会保障機構のアプリケーションであってもよい。端末の証明資料を獲得する機能がスタートされた後、ユーザーに入力インターフェースを提供して、ユーザーが証明資料が所在する合法的出所の識別子を入力することができる。
【００７３】
例示的に、図４−２は、他の例示的な実施例に係る入力インターフェースを示す模式図である。前記入力インターフェースは、入力キーボードを含むことができる。前記入力キーボードは、端末システムが提供する入力方式のキーボードであってもよく、入力方式クライアントの入力式キーボードであってもよく、端末にインストールされた資料抽出クライアントの入力式キーボードであってもよい。本発明の実施例では、それに対して限定しない。ユーザーは、前記入力キーボードを介してキャラクタを入力し、端末は、ユーザーから入力したキャラクタを証明資料が所在する合法的出所の識別子とする。
【００７４】
本発明の実施例において、証明資料が所在する合法的出所の識別子は、数字、文字と符号中の少なくとも一つを含む。本発明の実施例において、数字、文字と符号中の少なくとも一つを含むことは、数字、文字と符号中のいずれか一つのみを含むか、又は、数字、文字と符号中のいずれか二つを含むか、又は、数字、文字と符号を同時に含むことを指す。本発明の実施例において、証明資料が所在する合法的出所の識別子は、少なくとも一つのキャラクタを含み、通常、一つのキャラクタ列（文字列）である。
【００７５】
入力インターフェースが図４−２に示すものである場合、端末は、予め設定された合法的出所の識別子とアプリケーションとの対応関係を検索して、受信した証明資料が所在する合法的出所の識別子に対応するターゲットアプリケーションを確定することができる。例えば、端末が受信した証明資料が所在する合法的出所の識別子が「招商銀行（Ｃｈｉｎａ  Ｍｅｒｃｈａｎｔｓ  Ｂａｎｋ）」である場合、当該証明資料が所在する合法的出所の識別子とアプリケーションとの対応関係を検索して、「招商銀行」に対応するアプリケーションが招商銀行の公式サイトのアプリケーションであることを確定する。なお、端末は、他の方式によって、証明資料が所在する合法的出所の識別子に対応するターゲットアプリケーションを確定することができ、本発明の実施例は、例示的に説明に過ぎない。
【００７６】
例示的に、図４−３は他の例示的な実施例に係る入力インターフェースの模式図である。前記入力インターフェースは、複数のトリガーボタンを含むことができ、各トリガーボタンは、それぞれ１つのアプリケーションに対応する。ユーザーが任意の１つのトリガーボタンを押す場合、端末は、相応する証明資料が所在する合法的出所の識別子を受信し、且つ当該証明資料が所在する合法的出所の識別子によって、ターゲットアプリケーションを確定することができる。本発明の実施例において、通常、証明資料が所在する合法的出所の識別子はアプリケーションの名称である。例えば、招商銀行の公式サイトのアプリケーションのアプリケーション名称は「招商銀行」である。端末がトリガーボタンを表示する場合、ユーザーに効果的な提示作用を与えるために、それぞれのトリガーボタンに対応する証明資料が所在する合法的出所の識別子を表示することができる。実際の応用において、アプリケーションがクライアントの形式でユーザーに証明資料を提供する場合、前記トリガーボタンの表示形式と、アプリケーションに対応するクライアントのボタンは同じである。例えば、招商銀行の公式サイトのアプリケーションのクライアントが招商銀行のクライアントである場合、招商銀行の公式サイトのアプリケーションに対応するトリガーボタンは、招商銀行のクライアントのボタンと同じである。
【００７７】
本発明の実施例において、図４−２又は図４−３に示す入力インターフェースは、端末システムにより提供されたものであってもよく、端末にインストールされた資料抽出クライアントにより提供されたものであってもよい。図４−４は、他の例示的な実施例に係る端末がユーザーから入力した証明資料が所在する合法的出所の識別子によって、ターゲットアプリケーションを確定する方法のフローチャートである。前記方法は、下記のステップを含む。
【００７８】
ステップ４０２１：端末は、資料抽出クライアントを介して、ユーザーから入力した証明資料が所在する合法的出所の識別子を受信する。
【００７９】
実際の応用において、ターゲットアプリケーションに対応するクライアントがない場合、証明資料が所在する合法的出所の識別子は、証明資料の公式サイトの識別子を含むことができる。ターゲットアプリケーションに対応するクライアントがある場合、証明資料が所在する合法的出所の識別子は、ターゲットアプリケーションのクライアントの識別子又はターゲットアプリケーションのサーバーの識別子を含むことができる。通常、前記ターゲットアプリケーションのクライアントの識別子と、ターゲットアプリケーションのサーバーの識別子とは同じである。例えば、招商銀行の公式サイトのアプリケーションサーバーの識別子と、招商銀行のクライアントの識別子はいずれも“招商銀行”である。通常、前記ターゲットアプリケーションは金融類アプリケーションであってもよく、例えば、各銀行のアプリケーション、貯蓄クライアントのアプリケーション、支払いのアプリケーションなどである。実際の応用において、その他のアプリケーションであってもよく、本発明の実施例ではそれに対して限定しない。
【００８０】
ステップ４０２２：端末は、証明資料が所在する合法的出所の識別子によって、ターゲットアプリケーションを確定する。
【００８１】
ステップ４０３：端末は、証明資料を含むターゲットアプリケーションのページ情報を獲得する。
【００８２】
本発明の実施例の第１の可能な実施形態において、ページ情報は、ターゲットアプリケーションが提供するページの内容を表示するために用いられ、例えば、テキスト内容、イメージ内容などがあり、端末はキャプチャを介してページ情報を獲得することができる。図４−５は、他の例示的な実施例に係るターゲットアプリケーションのページ情報を獲得する方法のフローチャートであり、前記方法は下記のステップ４０３１を含む。
【００８３】
ステップ４０３１：端末は、ターゲットアプリケーションにログインする。
【００８４】
本発明の実施例において、ターゲットアプリケーションはクライアントに対応してもよく、また公式サイトのみに対応してもよいため、ターゲットアプリケーションにログインする方法は複数であり、ターゲットアプリケーションのクライアントを介してターゲットアプリケーションにログインするか、又は、ターゲットアプリケーションが提供するウェブページにアクセスすることを介してターゲットアプリケーションにログインすることを含む。
【００８５】
図４−６は、他の例示的な実施例に係るターゲットアプリケーションが提供するウェブページにアクセスすることを介して前記ターゲットアプリケーションにログインする方法のフローチャートである。前記方法は下記のステップを含む。
【００８６】
ステップ４０３１１：端末は、予め設定されたアプリケーションの識別子とユニフォームリソースロケータ（英語：Ｕｎｉｆｏｒｍ  Ｒｅｓｏｕｒｃｅ  Ｌｏｃａｔｏｒ、略語：ＵＲＬ）との対応関係を検索することによって、ターゲットアプリケーションに対応するＵＲＬを獲得する。
【００８７】
端末には予め設定されたアプリケーション識別子とＵＲＬとの対応関係が記憶されてもよく、前記対応関係は表の形式で体現されることができる。実際の応用において、前記対応関係を定期的に更新することができる。最終的に提供されるウェブページの信頼性を確保するために、記憶されたＵＲＬはいずれも信頼できるＵＲＬであり、これらはいずれも公式機関により認定されたサイトのＵＲＬである。表１に示すように、アプリケーション識別子の“Ｙ銀行”に対応するＵＲＬは“ｗｗｗ．１２３４＊＊＊．ｃｏｍ”であり、アプリケーション識別子の“ＤＤ通”に対応するＵＲＬは“ｗｗｗ．４５６７＊＊＊．ｃｏｍ”であり、アプリケーション識別子の“ＢＢ銀行”に対応するＵＲＬは“ｗｗｗ．８９１０＊＊＊．ｃｏｍ”である。例示的に、ターゲットアプリケーションのアプリケーション識別子が“ＤＤ通”である場合、表１に記載されたアプリケーション識別子とＵＲＬとの対応関係を検索することによって、ＵＲＬの“ｗｗｗ．４５６７＊＊＊．ｃｏｍ”を獲得することができる。
【００８８】
【表１】
0006456970.tif 000002
【００８９】
ステップ４０３１２：端末は、ターゲットアプリケーションに対応するＵＲＬにアクセスすることで、ターゲットアプリケーションにログインする。
【００９０】
端末は、ＵＲＬに指示されたリソースにアクセスして、相応するログインページを獲得する。例示的に、ターゲットアプリケーションのアプリケーション識別子がＢＢ銀行である場合、それに対応するＵＲＬはｗｗｗ．８９１０＊＊＊．ｃｏｍであり、端末は、ＵＲＬがｗｗｗ．８９１０＊＊＊．ｃｏｍである公式サイトにアクセスすることで、ＢＢ銀行の公式サイトのアプリケーションが提供するログインページを獲得する。
【００９１】
ステップ４０３２：端末は、ターゲットアプリケーションが表示する少なくとも一つのページをキャプチャして、少なくとも一つのページキャプチャを含むページ情報を獲得する。
【００９２】
第１の形態において、図４−７は、他の例示的な実施例に係るターゲットアプリケーションが表示する少なくとも一つのページをキャプチャして、ページ情報を獲得する方法のフローチャートであり、図４−７に示すように、前記方法は、下記のステップを含む。
【００９３】
ステップ４０３２１：端末は、ターゲットアプリケーションが表示するログインページからキャプチャを開始する。
【００９４】
ステップ４０３２２：予め設定された時間内に、ターゲットアプリケーションが表示するページに変化がない場合に、又は、前記ターゲットアプリケーションが再びログインページを表示する場合に、端末はキャプチャの操作を中止する。
【００９５】
本発明の実施例において、一方で、予め設定された時間内にターゲットアプリケーションが表示するページに変化がないことが検出された場合、ユーザーがターゲットアプリケーションページへの閲覧を停止したと認定することができ、キャプチャを中止する。一方で、ターゲットアプリケーションが再びログインページを表示した場合、ユーザーがユーザーアカウントを切り替えようとすると認定でき、現在のキャプチャ作業が同一のユーザーアカウント向けの作業であることを確保するために、キャプチャを中止する。
【００９６】
なお、ターゲットアプリケーションのページがターゲットアプリケーションのクライアントを介して表示される場合、同一のクライアントにおいて、それぞれのページには対応するページ名称が配置されており、端末はログインページのページ名称を記録することができ、同一のログインページのページ名称が２回現れる場合、キャプチャを中止する。なお、前記ページ名称はテキスト名称であってもよく、例えば、“ログインページ”であり、キャラクタ列であってもよく、例えば、“００１”である。
【００９７】
ステップ４０３２３：端末はキャプチャを開始してからキャプチャ中止するまでに獲得した少なくとも一つのページキャプチャを、前記ページ情報とする。
【００９８】
前記ステップ４０３２１ないしステップ４０３２３は、端末のシステムにより実行されてもよく、端末にインストールされた資料抽出クライアントにより実行されてもよい。なお、ステップ４０３２１ないしステップ４０３２３におけるキャプチャのトリガー条件はいろいろあり、例示的に、端末は、ターゲットアプリケーションが提供する各ページが表示された時に、キャプチャを行うことができる。例えば、ユーザーアカウントにログインする時間からログオフする時間までの期間におけるすべてのページについてキャプチャを行う。また端末は、ログインページから予め設定された時間ごとにキャプチャを行うこともできる。
【００９９】
第２の様態において、図４−８は他の例示的な実施例に係るターゲットアプリケーションが表示する少なくとも一つのページをキャプチャして、ページ情報を獲得する方法のフローチャートであり、図４−８に示すように、前記方法は下記のステップを含む。
【０１００】
ステップ４０３２４：端末は、キャプチャボタンをトリガーして生成されたキャプチャ命令を受信する。
【０１０１】
端末は、ユーザーにキャプチャボタンを提供することができる。ユーザーがキャプチャボタンをトリガーする場合、キャプチャ命令が生成され、端末は、前記キャプチャ命令に基づきキャプチャを行う。前記キャプチャボタンは、フローティングアクションボタン、ホームボタン（Ｈｏｍｅボタン）、予め設定されたハードウェアボタン中のいずれか一つである。ステップ４０３２の第２の様態において、ユーザーがキャプチャボタンをトリガーことによってキャプチャを行い、これによりユーザーのプライバシー保護に寄与することができる。即ち、ユーザーから自発的にキャプチャ操作を行って、ユーザーがキャプチャしようとするページを選び、必要なページのみをキャプチャすることで、ユーザーエクスペリエンスを向上させることができる。
【０１０２】
ステップ４０３２５：端末は、受信したキャプチャ命令に基づき、ターゲットアプリケーションの現在のページをキャプチャし、獲得した少なくとも一つのページキャプチャをページ情報とする。
【０１０３】
第３の様態において、図４−９は、他の例示的な実施例に係るターゲットアプリケーションが表示する少なくとも一つのページをキャプチャして、ページ情報を獲得する方法のフローチャートである。図４−９に示すように、前記方法は、下記のステップを含む。
【０１０４】
ステップ４０３２６：端末は、ターゲットアプリケーションが表示する少なくとも一つのページにおけるそれぞれのページに対し、予め設定された証明キャラクタが含まれているか否かを順次に検出する。
【０１０５】
例示的に、ターゲットアプリケーションが表示する少なくとも一つのページにおけるそれぞれのページに対し、予め設定された証明キャラクタが含まれているか否かを順次に検出するステップは、光学文字認識（英語：Ｏｐｔｉｃａｌ  Ｃｈａｒａｃｔｅｒ  Ｒｅｃｏｇｎｉｔｉｏｎ、略語：ＯＣＲ）技術を採用して、ターゲットアプリケーションが表示する少なくとも一つのページにおけるそれぞれのページに対し、予め設定された証明キャラクタが含まれているか否かを順次に検出するステップを含むことができる。本発明の実施例において、予め設定された証明キャラクタは公民の特定の属性を表明するキャラクタであってもよく、例えば、身分証明書番号の識別子、所得の識別子、銀行取引明細証明の識別子などが挙げられ、例えば、前記予め設定された証明キャラクタは“身分証明書番号”、“収納口座番号”、“入金口座番号”、“給料”、“職場”などである。
【０１０６】
ステップ４０３２７：端末は、少なくとも一つのページにおける予め設定された証明キャラクタが含まれているページをキャプチャし、獲得した少なくとも一つのページキャプチャをページ情報とする。
【０１０７】
ステップ４０３２８：端末は、少なくとも一つのページにおける予め設定された証明キャラクタが含まれていないページに対し、キャプチャを行わない。
【０１０８】
ステップ４０３２の第３の様態において、予め設定された証明キャラクタが含まれているか否かを検出してキャプチャを行い、これにより正確に証明資料を獲得することができる。
【０１０９】
実際の応用において、ステップ４０３２で提供した、端末はターゲットアプリケーションが表示する少なくとも一つのページをキャプチャしてページ情報を獲得する３つの様態を、互いに組み合わせることができる。例えば、第１の様態と第２の様態を組み合わせるか、又は、第１の様態と第３の様態の組み合わせることができ、本発明の実施例ではこれに対する詳細な説明を省略する。
【０１１０】
本発明の実施例の第２の可能な実施形態において、端末はその他の形態により、ターゲットアプリケーションのページ情報を獲得することができる。図４−１０は他の例示的な実施例に係る端末がターゲットアプリケーションのページ情報を獲得する方法のフローチャートであり、図４−１０に示すように、前記方法は下記のステップを含む。
【０１１１】
ステップ４０３３：端末は、ターゲットアプリケーションにログインする。
【０１１２】
ステップ４０３３は、上記ステップ４０３１を参照することができ、本発明の実施例では詳細な説明を省略する。
【０１１３】
ステップ４０３４：端末は、少なくとも一つのページウィンドウを含むターゲットアプリケーションのページウィンドウから、データ形式で少なくとも一つのウィンドウ情報を含むページ情報を獲得する。
【０１１４】
例示的に、端末は、ターゲットアプリケーションを表示するページウィンドウの表示ユニットからウィンドウ情報を獲得して、獲得した少なくとも一つのウィンドウ情報をページ情報とすることができる。端末の表示ユニットがテキスト、イメージの表示に用いられるため、当該表示ユニットはスクリーン、プロセッサなどを含むことができる。また、表示に用いられるデータは、通常表示ユニットの処理を経て表示されるため、表示ユニットにはターゲットアプリケーションのページウィンドウのウィンドウ情報か記憶されており、端末システムは、表示ユニットとのインターフェースによりウィンドウ情報からページ情報を直接獲得することができる。
【０１１５】
実際の応用において、端末がターゲットアプリケーションのページウィンドウからデータ形式でページ情報を獲得する手段は多様であり、関する技術を参照することができる。本発明の実施例では詳細な説明を省略する。
【０１１６】
なお、実際の応用において、証明資料の正確性をより保証するために、端末に資料抽出クライアントがインストールされており、且つターゲットアプリケーションのクライアントからページをキャプチャする。従って、本発明の実施例に提供された証明資料を獲得する方法は、ステップ４０３１又はステップ４０３３の前に、ターゲットアプリケーションのクライアントの検出などのステップをさらに含むことができる。図４−１１は他の例示的な実施例に係る証明資料を獲得する方法のフローチャートであり、図１に示す実施環境に用いられることができる。図４−１１に示すように、前記方法は下記のステップを含む。
【０１１７】
ステップ４０３５：端末は、資料抽出クライアントを介して、ターゲットアプリケーションのクライアントのスタートボタンを表示する。
【０１１８】
端末が資料抽出クライアントを介して表示するターゲットアプリケーションのクライアントのスタートボタンは、図４−３に示すようなものであることができる。入力インターフェースにおけるトリガーボタンはクライアントのスタートボタンであってもよい。
【０１１９】
ステップ４０３６：端末は、ユーザーがスタートボタンをトリガーして生成されたスタート命令を受信する。
【０１２０】
ステップ４０３７：端末は、スタート命令に基づき端末にターゲットアプリケーションのクライアントがインストールされているか否かを検出する。
【０１２１】
端末は、ターゲットアプリケーションのクライアントのスタートボタンを表示するのみで、実際に当該ターゲットアプリケーションのクライアントがインストールされていない可能性もあるから、検出する必要がある。
【０１２２】
ステップ４０３８：端末に、ターゲットアプリケーションのクライアントがインストールされている場合、ターゲットアプリケーションのクライアントをスタートする。
【０１２３】
端末がターゲットアプリケーションのクライアントをスタートした後に、上記ステップ４０３１又はステップ４０３３を実行することができる。
【０１２４】
ステップ４０３９：端末に、ターゲットアプリケーションのクライアントがインストールされていない場合、ターゲットアプリケーションのクライアントのインストールをユーザーに提示するためのインストール提示情報を表示する。
【０１２５】
端末にターゲットアプリケーションのクライアントがインストールされていない場合、端末にインストール提示情報が表示して、ユーザーからターゲットアプリケーションのクライアントをインストールするか否かを選択する。ユーザーが、前記ターゲットアプリケーションのクライアントのインストールを選択した場合、端末は前記クライアントをインストールし、且つ当該クライアントをスタートして、ステップ４０３１又はステップ４０３３におけるターゲットアプリケーションのクライアントを介してターゲットアプリケーションにログインする過程を実行する。ユーザーが、ターゲットアプリケーションのクライアントをインストールしないことを選択した場合、ステップ４０３１又はステップ４０３３におけるターゲットアプリケーションが提供するウェブページにアクセスすることを介してターゲットアプリケーションにログインする過程を実行することができる。
【０１２６】
ステップ４０４：端末は、キャプチャを行う過程でターゲットアプリケーションの単一性識別子を獲得し、前記単一性識別子は、キャプチャの合法性を唯一に標識するための検証情報である。
【０１２７】
例示的に、ターゲットアプリケーションに対応するクライアントがない場合、前記単一性識別子は、ターゲットアプリケーションのサーバー識別子であってもよい。ターゲットアプリケーションに対応するクライアントがある場合、前記単一性識別子は、パッケージ名（Ｐａｃｋａｇｅ  Ｎａｍｅ）と署名中の少なくとも一つを含むことができる。
【０１２８】
ここで、パッケージ名をアプリケーションの単一性識別子とすることができる。即ち、パッケージ名は必ず唯一なものでなければならなく、一つのパッケージ名は一つのアプリケーションを表示し、二つのアプリケーションが同じパッケージ名を使用することを許可しない。パッケージ名は、主に端末システムがアプリケーションを識別するために用いられる。
【０１２９】
各アプリケーションの開発者が合法的識別子を所有することを保証し、且つ一部の開発者が同じパッケージ名を使用して、混同を起こし、すでにインストールされたプログラムを取り替えることを防ぐために、各合法的アプリケーションのアンドロイドパッケージ（英語：Ａｎｄｒｏｉｄ  Ｐａｃｋａｇｅ、略称：ＡＰＫ）には、唯一の署名が設置されている。
【０１３０】
本発明の実施例において、パッケージ名を使用して一つのアプリケーションを標識することもでき、署名を使用して一つのアプリケーションを標識することもでき、パッケージ名と署名を同時に使用して一つのアプリケーションを標識することもできる。実際の応用において、パッケージ名と署名を同時に使用して一つのアプリケーションを標識する場合、当該アプリケーション合法性を効果的に保証することができ、不正コピーを防ぐことができる。本発明の実施例で用いるクライアントはアプリケーションのクライアントを指し、各クライアントは、パッケージ名と署名により唯一に標識される。
【０１３１】
ステップ４０５：端末は、資料情報を資料抽出サーバーに送信する。
【０１３２】
なお、端末が資料情報を送信する前に、ページ情報をキャッシュする必要があり、ページキャプチャの安全性を確保するために、ページ情報を指定された位置に隔離して記憶するか、及び／又は、ページ情報を暗号化して記憶することができる。
【０１３３】
本発明の実施例において、端末は、ページ情報から証明資料を抽出して資料抽出サーバーに送信することができ、また証明資料を含むページ情報を資料抽出サーバーに送信して、資料抽出サーバーによりページ情報から証明資料を抽出することもできる。
【０１３４】
一方で、ステップ４０３からわかるように、端末から獲得したページ情報は少なくとも一つのページキャプチャを含むことができるが、これらのページキャプチャには証明資料を含まないページキャプチャが含まれる可能性もある。例えば、少なくとも一つのページキャプチャがログインページのページキャプチャを含むが、ログインページのページキャプチャには、通常証明資料が含まれていない。この場合、端末はページ情報から証明資料を抽出することができ、証明資料を含まないページキャプチャを削除してから、資料抽出サーバーに送信することができる。図４−１２は他の例示的な実施例に係る端末が証明資料を獲得する方法のフローチャートである。図４−１２に示すように、前記方法は、下記のステップを含む。
【０１３５】
ステップ４０５１：端末は、少なくとも一つのページキャプチャにおけるそれぞれのページキャプチャに対し、予め設定された証明キャラクタが含まれているか否かを順次に検出する。
【０１３６】
少なくとも一つのページキャプチャにおけるそれぞれのページキャプチャに対し、予め設定された証明キャラクタが含まれているか否かを順次に検出するステップは、光学文字認識技術（ＯＣＲ）を採用して、少なくとも一つのページキャプチャにおけるそれぞれのページキャプチャに対し、予め設定された証明キャラクタが含まれているか否かを順次に検出するステップを含むことができる。本発明の実施例において、予め設定された証明キャラクタは、公民の特定の属性を表明するキャラクタであってもよく、例えば、身分証明書番号の識別子、所得識別子、銀行取引明細証明識別子などがあり、例えば、当該予め設定された証明キャラクタは“身分証明書番号”、“収納口座番号”、“入金口座番号”、“給料”、“職場”などである。
【０１３７】
ステップ４０５２：端末は、少なくとも一つのページキャプチャにおける前記予め設定された証明キャラクタを含むページキャプチャを、証明資料として確定する。
【０１３８】
例示的に、図４−１３と図４−１４に示すように、図４−１３と図４−１４はそれぞれ他の例示的な実施例に係る証明資料の模式図である。ここで、図４−１３は証明キャラクタの“収納口座番号”を含み、図４−１４は証明キャラクタの“給料”を含む。
【０１３９】
なお、ステップ４０３におけるステップ４０３２の第３の形態において、予め設定された証明キャラクタが含まれているか否かを検出してからキャプチャを行うため、ステップ４０５１とステップ４０５２を実行せずに、獲得したページ情報に含まれたページキャプチャを証明資料として確定することができる。
【０１４０】
選択的に、端末が図４−１０に示す方法により少なくとも一つのウィンドウ情報を含むページ情報を獲得する場合、端末は、ページ情報におけるそれぞれのウィンドウ情報に予め設定された証明キャラクタが含まれているか否かを順次に検出し、ページ情報に予め設定された証明キャラクタが含まれているウィンドウ情報を、証明資料として確定することができる。
【０１４１】
また、前記資料情報はページ情報を含む。端末は、当該資料情報を資料抽出サーバーに直接送信すればよく、当該資料情報はステップ４０４で抽出した単一性識別子を含むことができる。
【０１４２】
なお、証明資料が合法的で有効なものであることを保証し、違法者が証明資料を歪曲することを防ぐために、ステップ４０５の前に、端末は証明資料の信頼性を検証することができる。例示的に、端末は、信頼できるアプリケーションの単一性識別子を記録するための予め設定された信頼できる識別子表を検索することができる。前記信頼できる識別子表に、ターゲットアプリケーションの単一性識別子が記録されている場合、端末はステップ４０５における資料情報を資料抽出サーバーに送信するステップを実行する。信頼できる識別子表に、前記ターゲットアプリケーションの単一性識別子が記録されていない場合、端末は、当該資料情報中の証明資料を不当に獲得したものと確定して、ステップ４０５における資料情報を資料抽出サーバーに送信するステップを実行せず、通常相応する資料情報を削除する。
【０１４３】
例示的に、端末は信頼できる単一性識別子表を使用して、信頼できるアプリケーションの単一性識別子を記録することができる。例えば、これらの単一性識別子は公式アプリケーションのクライアントの単一性識別子であり、例えば、前記信頼できる単一性識別子表には招商銀行のパッケージ名と署名、小米（ｘｉａｏｍｉ：シャオミ）財布のパッケージ名と署名などが記録されている。
【０１４４】
通常、ターゲットアプリケーションが金融類アプリケーションであってもよく、金融類アプリケーションの数量には限定があるため、各単一性識別子を記録するに要するスペースは小さく、且つ予め設定された信頼できる単一性識別子表を検索することにより、ターゲットアプリケーションの信頼性を効果的に保証することができる。信頼できる単一性識別子表に、ターゲットアプリケーションの単一性識別子が記録されている場合、端末は資料情報を資料抽出サーバーに送信し、これにより、証明資料が公式アプリケーションから獲得したものであり、ユーザーが修正したアプリケーションから獲得したものではないことを確保して、送信する資料情報の信頼性を保証する。信頼できる単一性識別子表に、ターゲットアプリケーションの単一性識別子が記録されていない場合、端末は当該資料情報を信頼できないものと確定して、当該資料情報を削除することができ、端末は、提供した証明資料が信頼できないものであることをユーザーに提示するための提示情報を表示することができ、ユーザーは再び証明資料を提出することができる。
【０１４５】
ステップ４０６：資料抽出サーバーは、資料情報から証明資料を抽出する。
【０１４６】
資料抽出サーバーは、端末から送信された資料情報を受信した後、資料情報から証明資料を抽出する。
【０１４７】
一方で、資料情報はページ情報を含み、ページ情報は少なくとも一つのページキャプチャを含む。資料抽出サーバーは、少なくとも一つのページキャプチャにおけるそれぞれのページキャプチャに対し、予め設定された証明キャラクタが含まれているか否かを順次に検出することができる。前記の少なくとも一つのページキャプチャにおけるそれぞれのページキャプチャに対し、予め設定された証明キャラクタが含まれているか否かを順次に検出する過程は、光学文字認識技術（ＯＣＲ）を採用して、少なくとも一つのページキャプチャにおけるそれぞれのページキャプチャに対し、予め設定された証明キャラクタが含まれているか否かを順次に検出するステップを含む。資料抽出サーバーは、少なくとも一つのページキャプチャにおいて、予め設定された証明キャラクタが含まれているページキャプチャを証明資料として確定する。具体的な過程は、上記ステップ４０５１とステップ４０５２における端末が資料情報から証明資料を抽出するステップを参照することができる。選択的に、資料情報はページ情報を含み、ページ情報は少なくとも一つのウィンドウ情報を含む場合、資料抽出サーバーは、ページ情報におけるそれぞれのウィンドウ情報に対し、予め設定された証明キャラクタが含まれているか否かを順次に検出し、ページ情報中の予め設定された証明キャラクタが含まれているウィンドウ情報を、証明資料として確定することができる。
【０１４８】
一方で、資料情報は証明資料を含み、資料抽出サーバーは資料情報から証明資料を直接獲得することができる。
【０１４９】
なお、資料抽出サーバーは、証明資料を獲得した後に証明資料の信頼性を検証することができる。例示的に、端末は、予め設定された信頼できる識別子表を検索することができ、前記信頼できる識別子表は、信頼できるアプリケーションの単一性識別子を記録するために用いられる。信頼できる識別子表に、ターゲットアプリケーションの単一性識別子が記録されている場合、資料情報における証明資料を、信頼できる証明資料として確定する。具体的な過程は、上記ステップ４０５の前の端末が証明資料の信頼性を検証する過程を参照することができる。
【０１５０】
例示的に、資料情報は、ターゲットアプリケーションの単一性識別子をさらに含み、前記単一性識別子は、キャプチャの合法性を唯一に標識するための検証情報である。図４−１５は、他の例示的な実施例に係る資料抽出サーバーが証明資料の信頼性を検証する方法のフローチャートである。図４−１５に示すように、前記方法は、下記のステップを含む。
【０１５１】
ステップ４０６１：資料抽出サーバーは、証明資料におけるそれぞれ資料のフォーマット情報を獲得する。
【０１５２】
本発明の実施例において、資料抽出サーバーには複数の単一性識別子に対応する信頼できるフォーマット情報が記録されることができる。例えば、単一性識別子の“Ｙ銀行”に対応する信頼できるフォーマット情報を記録するか、単一性識別子の“ＤＤ通”に対応する信頼できるフォーマット情報を記録する。前記信頼できるフォーマット情報表に記録されたフォーマット情報は予め設定されたものである。また、前記フォーマット情報はクライアントインタフェースにおけるフォーマット情報であってもよく、ウェブページのフォーマット情報であってもよい。例えば、前記フォーマット情報がクライアントインタフェースにおけるフォーマット情報である場合、招商銀行のクライアントの異なるインターフェースフォーマット、小米財布クライアントの異なるインターフェースフォーマットなどを記録することができる。これらのインターフェースフォーマットはページ内容の分布、ページ色彩などのパラメータを含む。
【０１５３】
資料抽出サーバーは前記複数の単一性識別子に対応する信頼できるフォーマット情報を検索して、ターゲットアプリケーションの単一性識別子に対応する信頼できるフォーマット情報を獲得することができる。
【０１５４】
ステップ４０６２：資料抽出サーバーは、ターゲットアプリケーションの単一性識別子に対応する信頼できるフォーマット情報表を獲得し、前記信頼できるフォーマット情報表は、ターゲットアプリケーションの単一性識別子に対応する信頼できるフォーマット情報を記録するために用いられる。
【０１５５】
ステップ４０６３：資料抽出サーバーは、ターゲットアプリケーションの単一性識別子に対応する信頼できるフォーマット情報表を検索する。
【０１５６】
ステップ４０６４：信頼できるフォーマット情報表に、証明資料中のそれぞれの資料のフォーマット情報が記録されている場合、資料抽出サーバーは、資料情報中の証明資料を信頼できる証明資料として確定する。
【０１５７】
資料抽出サーバーが資料情報中の証明資料を信頼できる証明資料として確定する場合、前記証明資料を関係機構又は機関に提供することができる。
【０１５８】
ステップ４０６５：信頼できるフォーマット情報表に、証明資料中のそれぞれの資料のフォーマット情報が記録されていない場合、資料抽出サーバーは、資料情報中の証明資料を信頼できない証明資料として確定する。
【０１５９】
資料抽出サーバーが資料情報中の証明資料を信頼できない証明資料として確定した場合、当該証明資料を削除することができ、端末に、提供された証明資料が信頼できない証明資料であることをユーザーに提示するための提示情報を送信し、ユーザーは再び証明資料を提出することができる。
【０１６０】
ステップ４０７：端末は、資料情報を削除する。
【０１６１】
本発明の実施例において、証明資料の安全性を確保するために、端末は、通常資料抽出アプリケーションに資料情報を送信した後、当該証明資料を削除することができる。本発明の実施例において、証明資料の安全性を確保するために、端末は、通常資料抽出サーバーに資料情報を送信した後、当該資料情報を削除することができる。
【０１６２】
なお、本発明の実施例により提供された証明資料を獲得する方法のステップの手順は適宜調整が可能であり、場合によってステップを適宜増減させたりすることができる。例えば、ステップ４０６１ないしステップ４０６５を実行しないこともできる。当業者は、本発明が提示する技術的範囲内で、変形された方法を容易に想到することができ、これらの方法のすべては本発明の保護範囲に属するべきであり、ここで詳細な説明を省略する。
【０１６３】
前記のように、端末は、ユーザーから入力した証明資料が所在する合法的出所の識別子によって、ターゲットアプリケーションを確定して、ターゲットアプリケーションのページ情報を獲得し、且つページ情報又は証明資料を含む資料情報を資料抽出サーバーに送信することができるため、ユーザーが書面証明資料を提供する必要がなくなり、特定の機関がそのネットワークシステムから証明資料を獲得する必要もなくなって、証明資料を獲得する複雑さを効果的に低下させ、証明資料の獲得効率を向上させることができる。
【０１６４】
図５−１は、一例示的な実施例に係る証明資料を獲得する装置のブロック図である。前記装置は、図１に示す端末１２０に用いられることができ、図５−１に示すように、確定モジュール５０１、情報獲得モジュール５０２と送信モジュール５０３を含む。
【０１６５】
確定モジュール５０１は、ユーザーから入力した証明資料が所在する合法的出所の識別子によって、前記証明資料を提供するためのターゲットアプリケーションを確定する。
【０１６６】
情報獲得モジュール５０２は、前記証明資料を含む前記ターゲットアプリケーションのページ情報を獲得する。
【０１６７】
送信モジュール５０３は、資料抽出サーバーが資料情報から前記証明資料を抽出するように、前記ページ情報又は前記証明資料を含む資料情報を前記資料抽出サーバーに送信する。
【０１６８】
前記のように、確定モジュールは、ユーザーから入力した証明資料が所在する合法的出所の識別子によって、ターゲットアプリケーションを確定することができ、情報獲得モジュールは、前記ターゲットアプリケーションのページ情報を獲得することができ、且つ送信モジュールにより、ページ情報又は証明資料を含む資料情報を資料抽出サーバーに送信することで、ユーザーが書面証明資料を提供する必要がなくなり、特定の機関がそのネットワークシステムから証明資料を獲得する必要もなくなって、証明資料を獲得する複雑さを効果的に低下させ、証明資料の獲得効率を向上させることができる。
【０１６９】
図５−２は、一例示的な実施例に係る情報獲得モジュール５０２を示すブロック図である。図５−２に示すように、情報獲得モジュール５０２は、ログインサブモジュール５０２１とキャプチャサブモジュール５０２２を含む。
【０１７０】
ログインサブモジュール５０２１は、前記ターゲットアプリケーションにログインする。
【０１７１】
キャプチャサブモジュール５０２２は、前記ターゲットアプリケーションが表示する少なくとも一つのページをキャプチャして、少なくとも一つのページキャプチャを含む前記ページ情報を獲得する。
【０１７２】
選択的に、前記キャプチャサブモジュール５０２２は、
前記ターゲットアプリケーションが表示するログインページからキャプチャを開始し、
予め設定された時間内に、前記ターゲットアプリケーションが表示するページに変化がない場合に、又は、前記ターゲットアプリケーションが再びログインページを表示する場合に、キャプチャの操作を中止し、
キャプチャを開始してからキャプチャ中止するまでに獲得した少なくとも一つのページキャプチャを、前記ページ情報とするように構成される。
【０１７３】
選択的に、前記キャプチャサブモジュール５０２２は、
キャプチャボタンをトリガーして生成されたキャプチャ命令を受信し、前記キャプチャボタンは、フローティングアクションボタン、ホームボタン、予め設定されたハードウェアボタン中のいずれか一つであり、
受信したキャプチャ命令に基づき、前記ターゲットアプリケーションの現在のページをキャプチャして、少なくとも一つのページキャプチャを獲得し、当該ページキャプチャを前記ページ情報とするように構成される。
【０１７４】
選択的に、前記キャプチャサブモジュール５０２２は、
前記ターゲットアプリケーションが表示する少なくとも一つのページにおけるそれぞれのページに対し、予め設定された証明キャラクタが含まれているか否かを順次に検出し、
前記少なくとも一つのページにおける前記予め設定された証明キャラクタが含まれているページをキャプチャして、少なくとも一つのページキャプチャを獲得し、当該ページキャプチャを前記ページ情報とするように構成される。
【０１７５】
図５−３は、他の例示的な実施例に係る情報獲得モジュール５０２のブロック図である。図５−２に示すように、情報獲得モジュール５０２は、ログインサブモジュール５０２３と獲得サブモジュール５０２４を含む。
【０１７６】
ログインサブモジュール５０２３は、前記ターゲットアプリケーションにログインする。
【０１７７】
獲得サブモジュール５０２４は、前記ターゲットアプリケーションのページウィンドウからデータ形式で前記ページ情報を獲得し、前記ターゲットアプリケーションのページウィンドウは、少なくとも一つのページウィンドウを含む。
【０１７８】
前記ログインサブモジュール５０２１又はログインサブモジュール５０２３は、
前記ターゲットアプリケーションのクライアントを介して前記ターゲットアプリケーションにログインする、又は、
前記ターゲットアプリケーションが提供するウェブページにアクセスすることを介して前記ターゲットアプリケーションにログインするように構成される。
【０１７９】
図５−４は、他の例示的な実施例に係る証明資料を獲得する装置のブロックである。前記装置は、図１に示す端末１２０に用いられることができ、図５−４に示すように、確定モジュール５０１、情報獲得モジュール５０２、送信モジュール５０３、キャラクタ検出モジュール５０４、及び確定モジュール５０５を含む。
【０１８０】
確定モジュール５０１は、ユーザーから入力した証明資料が所在する合法的出所の識別子によって、前記証明資料を提供するためのターゲットアプリケーションを確定する。
【０１８１】
情報獲得モジュール５０２は、前記証明資料を含む前記ターゲットアプリケーションのページ情報を獲得する。
【０１８２】
送信モジュール５０３は、資料抽出サーバーが資料情報から前記証明資料を抽出するように、前記ページ情報又は前記証明資料を含む資料情報を前記資料抽出サーバーに送信する。
【０１８３】
キャラクタ検出モジュール５０４は、前記少なくとも一つのページキャプチャにおけるそれぞれのページキャプチャに対し、予め設定された証明キャラクタが含まれているか否かを順次に検出する。
【０１８４】
選択的に、前記キャラクタ検出モジュール５０４は、
光学文字認識技術（ＯＣＲ）を採用して、前記少なくとも一つのページキャプチャにおけるそれぞれのページキャプチャに対し、予め設定された証明キャラクタが含まれているか否かを順次に検出するように構成される。
【０１８５】
確定モジュール５０５は、前記少なくとも一つのページキャプチャにおける前記予め設定された証明キャラクタを含むページキャプチャを、前記証明資料として確定する。
【０１８６】
図５−５は、一例示的な実施例に係る証明資料を獲得する装置のブロック図である。前記装置は、図１に示す端末１２０に用いられることができ、図５−５に示すように、確定モジュール５０１、情報獲得モジュール５０２、送信モジュール５０３、及び識別子獲得モジュール５０６を含む。
【０１８７】
確定モジュール５０１は、ユーザーから入力した証明資料が所在する合法的出所の識別子によって、前記証明資料を提供するためのターゲットアプリケーションを確定する。
【０１８８】
情報獲得モジュール５０２は、前記証明資料を含む前記ターゲットアプリケーションのページ情報を獲得する。
【０１８９】
送信モジュール５０３は、資料抽出サーバーが資料情報から前記証明資料を抽出するように、前記ページ情報又は前記証明資料を含む資料情報を前記資料抽出サーバーに送信する。
【０１９０】
識別子獲得モジュール５０６は、前記キャプチャを行う過程において、前記ターゲットアプリケーションの単一性識別子を獲得し、前記単一性識別子は、前記キャプチャの合法性を唯一に標識するための検証情報である。
【０１９１】
図５−６は、他の例示的な実施例に係る証明資料を獲得する装置のブロック図である。前記装置は、図１に示す端末１２０に用いられることができ、図５−６に示すように、確定モジュール５０１、情報獲得モジュール５０２、送信モジュール５０３、識別子獲得モジュール５０６、及び検索モジュール５０７を含む。
【０１９２】
確定モジュール５０１は、ユーザーから入力した証明資料が所在する合法的出所の識別子によって、前記証明資料を提供するためのターゲットアプリケーションを確定する。
【０１９３】
情報獲得モジュール５０２は、前記証明資料を含む前記ターゲットアプリケーションのページ情報を獲得する。
【０１９４】
送信モジュール５０３は、資料抽出サーバーが資料情報から前記証明資料を抽出するように、前記ページ情報又は前記証明資料を含む資料情報を前記資料抽出サーバーに送信する。
【０１９５】
識別子獲得モジュール５０６は、前記キャプチャを行う過程において、前記ターゲットアプリケーションの単一性識別子を獲得し、前記単一性識別子は、前記キャプチャの合法性を唯一に標識するための検証情報である。
【０１９６】
検索モジュール５０７は、予め設定された信頼できる識別子表を検索し、前記信頼できる識別子表は、信頼できるアプリケーションの単一性識別子を記録するために用いられる。
【０１９７】
前記送信モジュール５０１は、
前記信頼できる識別子表に、前記ターゲットアプリケーションの単一性識別子が記録されている場合、前記資料情報を資料抽出サーバーに送信するステップを実行するように構成される。
【０１９８】
図５−７は、他の例示的な実施例に係る証明資料を獲得する装置のブロック図である。前記装置は、図１に示す端末１２０に用いられることができ、図５−７に示すように、確定モジュール５０１、情報獲得モジュール５０２、送信モジュール５０３、及びメモリーモジュール５０８を含む。
【０１９９】
確定モジュール５０１は、ユーザーから入力した証明資料が所在する合法的出所の識別子によって、前記証明資料を提供するためのターゲットアプリケーションを確定する。
【０２００】
情報獲得モジュール５０２は、前記証明資料を含む前記ターゲットアプリケーションのページ情報を獲得するように構成される。
【０２０１】
送信モジュール５０３は、資料抽出サーバーが資料情報から前記証明資料を抽出するように、前記ページ情報又は前記証明資料を含む資料情報を前記資料抽出サーバーに送信する。
【０２０２】
メモリーモジュール５０８は、前記ページ情報を指定された位置に隔離して記憶する、及び／又は、前記ページ情報を暗号化して記憶する。
【０２０３】
図５−８は、他の例示的な実施例に係る証明資料を獲得する装置のブロック図である。前記装置は、図１に示す端末１２０に用いられることができ、図５−８に示すように、確定モジュール５０１、情報獲得モジュール５０２、送信モジュール５０３、及び削除モジュール５０９を含む。
【０２０４】
確定モジュール５０１は、ユーザーから入力した証明資料が所在する合法的出所の識別子によって、前記証明資料を提供するためのターゲットアプリケーションを確定する。
【０２０５】
情報獲得モジュール５０２は、前記証明資料を含む前記ターゲットアプリケーションのページ情報を獲得する。
【０２０６】
送信モジュール５０３は、資料抽出サーバーが資料情報から前記証明資料を抽出するように、前記ページ情報又は前記証明資料を含む資料情報を前記資料抽出サーバーに送信する。
【０２０７】
削除モジュール５０９は、資料情報を前記資料抽出サーバーに送信した後、前記資料情報を削除する。
【０２０８】
図５−９は、他の例示的な実施例に係る証明資料を獲得する装置のブロック図である。前記装置は、図１に示す端末１２０に用いられることができ、図５−９に示すように、確定モジュール５０１、情報獲得モジュール５０２、送信モジュール５０３、表示モジュール５１０、受信モジュール５１１、クライアント検出モジュール５１２、スタートモジュール５１３、及び提示モジュール５１４を含む。
【０２０９】
確定モジュール５０１は、ユーザーから入力した証明資料が所在する合法的出所の識別子によって、前記証明資料を提供するためのターゲットアプリケーションを確定する。
【０２１０】
情報獲得モジュール５０２は、前記証明資料を含む前記ターゲットアプリケーションのページ情報を獲得する。
【０２１１】
送信モジュール５０３は、資料抽出サーバーが資料情報から前記証明資料を抽出するように、前記ページ情報又は前記証明資料を含む資料情報を前記資料抽出サーバーに送信する。
【０２１２】
表示モジュール５１０は、資料抽出クライアントを介して、前記ターゲットアプリケーションのクライアントのスタートボタンを表示する。
【０２１３】
受信モジュール５１１は、ユーザーが前記スタートボタンをトリガーして生成されたスタート命令を受信する。
【０２１４】
クライアント検出モジュール５１２は、前記スタート命令に基づき、端末に前記ターゲットアプリケーションのクライアントがインストールされているか否かを検出する。
【０２１５】
スタートモジュール５１３は、前記端末に前記ターゲットアプリケーションのクライアントがインストールされている場合、前記ターゲットアプリケーションのクライアントをスタートする。
【０２１６】
提示モジュール５１４は、前記端末に前記ターゲットアプリケーションのクライアントがインストールされていない場合、前記ターゲットアプリケーションのクライアントのインストールをユーザーに提示するためのインストール提示情報を表示する。
【０２１７】
前記のように、確定モジュールは、ユーザーから入力した証明資料が所在する合法的出所の識別子によって、ターゲットアプリケーションを確定することができ、情報獲得モジュールは、前記ターゲットアプリケーションのページ情報を獲得することができ、かつ送信モジュールによりページ情報又は証明資料を含む資料情報を資料抽出サーバーに送信するため、ユーザーが書面証明資料を提供する必要がなくなり、特定の機関がそのネットワークシステムから証明資料を獲得する必要もなくなって、証明資料を獲得する複雑さを効果的に低下させ、証明資料の獲得効率を向上させることができる。
【０２１８】
図６−１は、他の例示的な実施例に係る証明資料を獲得する装置のブロック図である。前記装置は、図１に示す資料抽出サーバー１１０に用いられることができ、図６−１に示すように、受信モジュール６０１と抽出モジュール６０２を含む。
【０２１９】
受信モジュール６０１は、端末から送信された資料情報を受信し、前記資料情報はページ情報又は証明資料を含み、前記ページ情報はターゲットアプリケーションから獲得されるものであり、前記ターゲットアプリケーションは、前記端末がユーザーから入力した前記証明資料が所在する合法的出所の識別子によって確定したものであり、前記ページ情報は前記証明資料を含む。
【０２２０】
抽出モジュール６０２は、前記資料情報から前記証明資料を抽出する。
【０２２１】
前記のように、受信モジュールは、端末から送信された資料情報を直接受信することができ、抽出モジュールは、当該資料情報から前記証明資料を抽出するため、ユーザーが書面証明資料を提供する必要がなくなり、特定の機関がそのネットワークシステムから証明資料を獲得する必要もなくなって、証明資料を獲得する複雑さを効果的に低下させ、証明資料の獲得効率を向上させることができる。
【０２２２】
選択的に、前記資料情報は前記ページ情報を含み、前記ページ情報は少なくとも一つのページキャプチャを含む。図６−２は、他の例示的な実施例に係る抽出モジュール６０２のブロック図である。図６−２に示すように、前記抽出モジュール６０２は、検出サブモジュール６０２１と確定サブモジュール６０２２を含む。
【０２２３】
検出サブモジュール６０２１は、前記少なくとも一つのページキャプチャにおけるそれぞれのページキャプチャに対し、予め設定された証明キャラクタが含まれているか否かを順次に検出する。
【０２２４】
確定サブモジュール６０２２は、前記少なくとも一つのページキャプチャにおける前記予め設定された証明キャラクタが含まれているページキャプチャを、前記証明資料として確定する。
【０２２５】
選択的に、前記検出サブモジュール６０２１は、光学文字認識技術（ＯＣＲ）を採用して、前記少なくとも一つのページキャプチャにおけるそれぞれのページキャプチャに対し、予め設定された証明キャラクタが含まれているか否かを順次に検出するように構成される。
【０２２６】
選択的に、前記資料情報は、前記ターゲットアプリケーションの単一性識別子をさらに含み、前記単一性識別子は、前記キャプチャの合法性を唯一に標識するための検証情報である。図６−３は、他の例示的な実施例に係る証明資料を獲得する装置のブロック図である。前記装置は、図１に示す資料抽出サーバー１１０に用いられることができ、図６−３に示すように、受信モジュール６０１、抽出モジュール６０２、第１の検索モジュール６０３、及び第１の確定モジュール６０４を含む。
【０２２７】
受信モジュール６０１は、端末から送信された資料情報を受信し、前記資料情報はページ情報又は証明資料を含み、前記ページ情報はターゲットアプリケーションから獲得されたものであり、前記ターゲットアプリケーションは、前記端末がユーザーから入力した前記証明資料が所在する合法的出所の識別子によって確定したものであり、前記ページ情報は前記証明資料を含む。
【０２２８】
抽出モジュール６０２は、前記資料情報から前記証明資料を抽出する。
【０２２９】
第１の検索モジュール６０３は、予め設定された信頼できる識別子表を検索し、前記信頼できる識別子表は、信頼できるアプリケーションの単一性識別子を記録するために用いられる。
【０２３０】
第１の確定モジュール６０４は、前記信頼できる識別子表に、前記ターゲットアプリケーションの単一性識別子が記録されている場合、前記資料情報中の証明資料を信頼できる証明資料として確定する。
【０２３１】
選択的に、前記資料情報は、前記ターゲットアプリケーションの単一性識別子をさらに含み、前記単一性識別子は、前記キャプチャの合法性を唯一に標識するための検証情報である。図６−４は、他の例示的な実施例に係る証明資料を獲得する装置のブロック図である。前記装置は、図１に示す資料抽出サーバー１１０に用いられることができ、図６−４に示すように、受信モジュール６０１、抽出モジュール６０２、情報獲得モジュール６０５、情報表獲得モジュール６０６、第２の検索モジュール６０７、及び第２の確定モジュール６０８を含む。
【０２３２】
受信モジュール６０１は、端末から送信された資料情報を受信し、前記資料情報はページ情報又は証明資料を含み、前記ページ情報はターゲットアプリケーションから獲得したものであり、前記ターゲットアプリケーションは、前記端末がユーザーから入力した前記証明資料が所在する合法的出所の識別子によって確定したものであり、前記ページ情報は前記証明資料を含む。
【０２３３】
抽出モジュール６０２は、前記資料情報から前記証明資料を抽出する。
【０２３４】
情報獲得モジュール６０５は、前記証明資料におけるそれぞれの資料のフォーマット情報を獲得する。
【０２３５】
情報表獲得モジュール６０６は、前記ターゲットアプリケーションの単一性識別子に対応する信頼できるフォーマット情報表を獲得し、前記信頼できるフォーマット情報表は、前記ターゲットアプリケーションの単一性識別子に対応する信頼できるフォーマット情報を記録するために用いられる。
【０２３６】
第２の検索モジュール６０７は、前記ターゲットアプリケーションの単一性識別子に対応する信頼できるフォーマット情報表を検索する。
【０２３７】
第２の確定モジュール６０８は、前記信頼できるフォーマット情報表に、前記証明資料中のそれぞれ資料のフォーマット情報が記録されている場合、前記資料情報中の証明資料を信頼できる証明資料として確定する。
【０２３８】
前記のように、受信モジュールは、端末から送信された資料情報を直接受信することができ、抽出モジュールは、当該資料情報から前記証明資料を抽出するため、ユーザーが書面証明資料を提供する必要がなくなり、特定の機関がそのネットワークシステムから証明資料を獲得する必要もなくなって、証明資料を獲得する複雑さを効果的に低下させ、証明資料の獲得効率を向上させることができる。
【０２３９】
本発明の実施例によれば、証明資料を獲得する装置をさらに提供し、前記装置は、
プロセッサと、
前記プロセッサで実行可能な命令を記憶するためのメモリとを備え、
前記プロセッサは、
ユーザーから入力した証明資料が所在する合法的出所の識別子によって、前記証明資料を提供するためのターゲットアプリケーションを確定し、
前記証明資料を含む前記ターゲットアプリケーションのページ情報を獲得し、
資料抽出サーバーが資料情報から前記証明資料を抽出するように、前記ページ情報又は前記証明資料を含む資料情報を前記資料抽出サーバーに送信するように構成される。
【０２４０】
本発明の実施例よれば、証明資料を獲得する装置をさらに提供し、前記装置は、
プロセッサと、
前記プロセッサで実行可能な命令を記憶するためのメモリとを備え、
前記プロセッサは、
端末から送信された資料情報を受信し、前記資料情報はページ情報又は証明資料を含み、前記ページ情報はターゲットアプリケーションから獲得したものであり、前記ターゲットアプリケーションは、前記端末がユーザーから入力した前記証明資料が所在する合法的出所の識別子によって確定したものであり、前記ページ情報は前記証明資料を含み、
前記資料情報から前記証明資料を抽出するように構成される。
【０２４１】
図７は、他の例示的な実施例に係る証明資料を獲得する装置のブロック図であり、図１に示す端末１２０に用いられることができる。例えば、装置７００は、携帯電話、コンピュータ、デジタルブロードキャスト端末、メッセージ送受信機、ゲームコンソール、タブレットデバイス、医療機器、フィットネス機器、個人向け携帯型情報端末機器（ＰＤＡ）などであってもよい。
【０２４２】
図７を参照すると、装置７００は、処理ユニット７０２、メモリ７０４、電源ユニット７０６、マルチメディアユニット７０８、オーディオユニット７１０、入力／出力（Ｉ／Ｏ）インターフェース７１２、センサーユニット７１４、及び通信ユニット７１６からなる群から選ばれる少なくとも１つを備えてもよい。
【０２４３】
処理ユニット７０２は、一般的には、装置７００の全体の操作、例えば、表示、電話呼び出し、データ通信、カメラ操作及び記録操作に関連する操作を制御する。処理ユニット７０２は、上述した方法におけるステップの一部又は全部を実現できるように、命令を実行する少なくとも１つのプロセッサ７２０を備えてもよい。また、処理ユニット７０２は、他のユニットとのインタラクションを便利にさせるように、少なくとも１つのモジュールを備えてもよい。例えば、処理ユニット７０２は、マルチメディアユニット７０８とのインタラクションを便利にさせるように、マルチメディアモジュールを備えてもよい。
【０２４４】
メモリ７０４は、装置７００での操作をサポートするように、各種のデータを記憶するように構成される。これらのデータは、例えば、装置７００で何れのアプリケーション又は方法を操作するための命令、連絡先データ、電話帳データ、メッセージ、画像、ビデオなどを含む。メモリ７０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、又は光ディスクにより、又はそれらの組み合わせにより実現することができる。
【０２４５】
電源ユニット７０６は、装置７００の各種ユニットに電力を供給するためのものであり、電源管理システム、１つ又は複数の電源、及び装置７００のために電力を生成、管理及び分配することに関連する他のユニットを備えてもよい。
【０２４６】
マルチメディアユニット７０８は、装置７００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。前記タッチセンサーは、タッチやスライド動作の境界を感知できるだけではなく、タッチやスライド操作と関連する持続時間や圧力も感知できる。一実施例では、マルチメディアユニット７０８は、フロントカメラ及び／又はバックカメラを有してもよい。装置７００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０２４７】
オーディオユニット７１０は、オーディオ信号を出力及び／又は入力するように構成される。例えば、オーディオユニット７１０は、マイクロフォン（ＭｉＣ）を有してもよい。装置７００が、例えば、呼び出しモード、記録モード、又は音声認識モードのような操作モードにあるとき、マイクロフォンは、外部のオーディオ信号を受信するように構成される。受信したオーディオ信号は、メモリ７０４にさらに記憶されてもよいし、通信ユニット７１６を介して送信されてもよい。一実施例では、オーディオユニット７１０は、オーディオ信号を出力するためのスピーカをさらに備えてもよい。
【０２４８】
Ｉ／Ｏインターフェース７１２は、処理ユニット７０２と外部のインターフェースモジュールとの間にインターフェースを提供するためのものである。上記外部のインターフェースモジュールは、キーボードや、クリックホイールや、ボタンなどであってもよい。これらのボタンは、ホームボタンや、音量ボタンや、スタートボタンや、ロックボタンであってもよいが、それらに限らない。
【０２４９】
センサーユニット７１４は、装置７００のために各方面の状態を評価する少なくとも１つのセンサーを備えてもよい。例えば、センサーユニット７１４は、装置７００のオン／オフ状態や、ユニットの相対的な位置を検出することができる。例えば、前記ユニットは、装置７００のディスプレイ及びキーパッドである。センサーユニット７１４は、装置７００又は装置７００の１つのユニットの位置の変化、ユーザーによる装置７００への接触の有無、装置７００の方向又は加速／減速、装置７００の温度変化などを検出することができる。センサーユニット７１４は、何れの物理的な接触もない場合に付近の物体を検出するように構成される近接センサーを有してもよい。センサーユニット７１４は、イメージングアプリケーションに用いるための光センサー、例えば、ＣＭＯＳ又はＣＣＤ画像センサーを有してもよい。一実施例では、当該センサーユニット７１４は、加速度センサー、ジャイロスコープセンサー、磁気センサー、圧力センサー又は温度センサーをさらに備えてもよい。
【０２５０】
通信ユニット７１６は、装置７００と他の設備の間との無線又は有線通信を便利にさせるように構成される。装置７００は、通信標準に基づく無線ネットワーク、例えば、ＷｉＦｉ、２Ｇ又は３Ｇ、又はそれらの組み合わせにアクセスできる。１つの例示的な実施例では、通信ユニット７１６は、ブロードキャストチャンネルを介して外部のブロードキャスト管理システムからのブロードキャスト信号又はブロードキャストに関する情報を受信する。１つの例示的な実施例では、前記通信ユニット７１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ）技術及び他の技術によって実現されてもよい。
【０２５１】
例示的な実施例では、装置７００は、上述した証明資料を獲得する方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器によって実現されてもよい。
【０２５２】
例示的な実施例では、命令を有する非一時的コンピュータ読み取り可能な記録媒体、例えば、命令を有するメモリ７０４をさらに提供する。前記命令は、装置７００のプロセッサ７２０により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピーディスク及び光データメモリなどであってもよい。
【０２５３】
非一時的コンピュータ読み取り可能な記録媒体は、前記記録媒体における命令が装置７００のプロセッサにより実行される場合、装置７００が証明資料を獲得する方法を実行するようさせ、前記方法は、
【０２５４】
図８は、他の例示的な実施例に係る証明資料を獲得する装置を示すブロック図である。例えば、装置８００はサーバーとして提供されてもよい。当該装置は、図１に示す資料抽出サーバー１１０に用いられることができる。図８を参照すると、装置８００は、１つ以上のプロセッサがさらに含まれた処理ユニット８２２と、処理ユニット８２２により実行可能な命令、例えばプログラムを記憶するメモリ８３２を代表とするメモリリソースとを含む。メモリ８３２に記憶されたアプリケーションプログラムは、１つ以上のそれぞれが一組の命令に対応するモジュールを含んでもよい。また、前記証明資料を獲得する方法を実行するために、処理ユニット８２２は命令を実行するように構成される。
【０２５５】
装置８００は、装置８００の電源管理を実行するように配置された電源ユニット８２６と、装置８００をインターネットに接続させるように配置された有線又は無線インターネットインタフェース８５０と、入力／出力（Ｉ／Ｏ）インターフェース８５８とを備えてもよい。装置８００はメモリ８３２に記憶された操作システム、例えばＷｉｎｄｏｗｓ  ＳｅｒｖｅｒＴＭ、Ｍａｃ  ＯＳ  ＸＴＭ、ＵｎｉｘＴＭ、  ＬｉｎｕｘＴＭ、ＦｒｅｅＢＳＤＴＭなどに基づいて操作できる。
【０２５６】
当業者は、明細書に対する理解、及び明細書に記載された発明に対する実施を介して、本発明の他の実施形態を容易に獲得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０２５７】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【０２５８】
本願は、出願番号が２０１５１０８７６２０７．Ｘであって、出願日が２０１５年１２月３日である中国特許出願に基づき優先権を主張し、当該中国特許出願の内容のすべてを本願に援用する。
【図１】
0006456970.tif 000003
【図２】
0006456970.tif 000004
【図３】
0006456970.tif 000005
【図４−１】
0006456970.tif 000006
【図４−２】
0006456970.tif 000007
【図４−３】
0006456970.tif 000008
【図４−４】
0006456970.tif 000009
【図４−５】
0006456970.tif 000010
【図４−６】
0006456970.tif 000011
【図４−７】
0006456970.tif 000012
【図４−８】
0006456970.tif 000013
【図４−９】
0006456970.tif 000014
【図４−１０】
0006456970.tif 000015
【図４−１１】
0006456970.tif 000016
【図４−１２】
0006456970.tif 000017
【図４−１３】
0006456970.tif 000018
【図４−１４】
0006456970.tif 000019
【図４−１５】
0006456970.tif 000020
【図５−１】
0006456970.tif 000021
【図５−２】
0006456970.tif 000022
【図５−３】
0006456970.tif 000023
【図５−４】
0006456970.tif 000024
【図５−５】
0006456970.tif 000025
【図５−６】
0006456970.tif 000026
【図５−７】
0006456970.tif 000027
【図５−８】
0006456970.tif 000028
【図５−９】
0006456970.tif 000029
【図６−１】
0006456970.tif 000030
【図６−２】
0006456970.tif 000031
【図６−３】
0006456970.tif 000032
【図６−４】
0006456970.tif 000033
【図７】
0006456970.tif 000034
【図８】
0006456970.tif 000035